(57)【要約】【課題】従来よりも容易に引戸を設けることが可能な引戸ユニット及び引戸ユニットセットの提供を目的とする。【解決手段】本発明の引戸ユニット１００は、建物内に起立状態にして設置される扁平箱形構造の引戸収納ボックス１０と、引戸収納ボックス１０に形成されたメイン引出口１２を通して、引戸収納ボックス１０に収納可能な引戸２０とを備え、引戸収納ボックス１０のうち幅狭の側面と直交する方向に延びた上部ガイドレール４５を引戸収納ボックス１０の内側上部に設けると共に、上部ガイドレール４５にスライド可能に係合した上部スライダ４１を引戸２０の戸尻側端部の上端部に取り付けて、引戸２０の戸尻側端部を吊り上げると共に、引戸２０の戸先側端部の下部に引戸支持キャスター３０を取り付けて建物の床面Ｆ１上で転動可能とした。【選択図】図３
2013108214.tif 000002
【特許請求の範囲】
【請求項１】
建物内に起立状態にして設置される扁平箱形構造の引戸収納ボックスと、前記引戸収納ボックスのうち幅狭の一側面に形成されたメイン引出口を通して、前記引戸収納ボックスに収納可能な引戸とを備えて、前記引戸の戸先側端部以外の全体を前記引戸収納ボックス内に収納した収納完了位置と、前記引戸の戸尻側端部以外の全体を前記引戸収納ボックス外に引き出した引出完了位置との間で前記引戸をスライド操作可能とした引戸ユニットであって、
前記引戸収納ボックスの内側上部に設けられ、前記引戸収納ボックスのうち幅狭の側面と直交する方向に延びた上部ガイドレールと、前記引戸の戸尻側端部の上端部に取り付けられ、前記上部ガイドレールにスライド可能に係合した上部スライダとからなる上部スライド機構によって前記引戸の戸尻側端部を吊り上げると共に、前記引戸の戸先側端部の下部に引戸支持キャスターを取り付けて建物の床面上で転動可能としたことを特徴とする引戸ユニット。
【請求項２】
前記引戸支持キャスターは、前記引戸のスライド方向と直交した回転軸を中心に回転可能としたことを特徴とする請求項１に記載の引戸ユニット。
【請求項３】
前記引戸収納ボックス内のうち前記メイン引出口の両側部分に回転可能に支持され、前記引戸を厚さ方向で挟んだ状態で前記引戸のスライドに伴って回動する１対の支持ローラを備えたことを特徴とする請求項１又は２に記載の引戸ユニット。
【請求項４】
前記引戸収納ボックスの内側下部に設けられ、前記引戸収納ボックスのうち幅狭の側面と直交する方向に延びた下部ガイドレールと、前記引戸の下端部に設けられて前記下部ガイドレールと平行に延びた引戸側ガイドレールと、前記下部ガイドレールと前記引戸側ガイドレールとの間に設けられ、前記下部ガイドレール及び前記引戸側ガイドレールにスライド可能に係合した中間ガイドレールとからなる下部スライド機構を備えたことを特徴とする請求項１乃至３の何れか１の請求項に記載の引戸ユニット。
【請求項５】
前記引戸として、扁平箱形構造をなしかつ前記メイン引出口と同じ方向を向いた第１引出口を有する第１引戸を備えると共に、その第１引出口を通して、前記第１引戸の内部に収納可能な第２引戸を備え、
前記第２引戸の戸先側端部以外の全体を前記第１引戸の内部に収納した収納完了位置と、前記第２引戸の戸尻側端部以外の全体を前記第１引戸の外部に引き出した引出完了位置との間で前記第２引戸をスライド操作可能とし、前記第１引戸と前記第２引戸との間に前記上部スライド機構を設けると共に前記第２引戸の下部に第２引戸支持キャスターを取り付けて建物の床面上で転動可能としたことを特徴とする請求項１乃至４の何れか１の請求項に記載の引戸ユニット。
【請求項６】
前記第２引戸支持キャスターは、前記第２引戸のスライド方向と直交した回転軸を中心に回転可能としたことを特徴とする請求項５に記載の引戸ユニット。
【請求項７】
前記第１引戸のうち戸尻側端部に配置され、前記第１引戸のスライド方向と直交した回転軸を中心に回転可能な第１滑車と、前記第１引戸のうち戸先側端部の内部に配置され、前記第１引戸のスライド方向と直交した回転軸を中心に回転可能な第２滑車と、
前記引戸収納ボックスの奥壁に一端部を固定されたワイヤーを、前記第１引戸の戸尻側端部に備えた戸尻側貫通孔を通して前記第２滑車で前記第１引戸の戸尻側に折り返してから前記第１滑車で前記第１引戸の戸先側にさらに折り返して、前記戸尻側貫通孔を通して前記引戸収納ボックスの前記メイン引出口側の端部内面に前記ワイヤーの他端部を固定し、さらに、前記ワイヤーのうち前記第１滑車と第２滑車との間部分を前記第２引戸の戸尻側の端部に固定したことにより、前記第１引戸と前記第２引戸とが連動しかつ同時に前記収納完了位置及び前記引出完了位置に到達するように構成したことを特徴とする請求項５又は６に記載の引戸ユニット。
【請求項８】
前記引戸収納ボックスのうち前記メイン引出口と反対側の端部を建物に備えた固定対象物に回動可能に連結するメインヒンジと、
前記引戸収納ボックスのうち前記メイン引出口側の端部の下面壁に上下動可能に支持された可動ベースと、
前記可動ベースに取り付けられて、前記メインヒンジを中心として前記引戸収納ボックスが回動したときに前記建物の床面上で転動可能なボックス支持キャスターと、
前記可動ベースと前記引戸とに設けられ、前記引戸が前記収納完了位置からずれているときに、前記可動ベースの上方への移動を許容し、前記引戸が前記収納完了位置に移動したときに、前記可動ベースを可動範囲の下端位置に向けて押し下げ、前記ボックス支持キャスターを床面に当接させることで前記引戸支持キャスターを床面から上方に離間させた状態に保持するベース位置切替機構とを備えたことを特徴とする請求項１乃至７の何れか１の請求項に記載の引戸ユニット。
【請求項９】
前記請求項１乃至７の何れか１の請求項に記載の引戸ユニットの前記引戸収納ボックスに、前記請求項８に記載の引戸ユニットの前記引戸収納ボックスを前記メインヒンジにて回動可能に連結してなることを特徴とする引戸ユニットセット。
【発明の詳細な説明】
【技術分野】
【０００１】
本発明は、引戸を有した引戸ユニット及引戸ユニットセットに関する。
【背景技術】
【０００２】
従来の引戸としては、引戸の上端部に備えた複数の上部スライダ（例えば、吊車）を建物天井面に固定された上部ガイドレールにスライド可能に係合させた上吊式の引戸が知られている（例えば、特許文献１参照）。
【先行技術文献】
【特許文献】
【０００３】
【特許文献１】特開２００８−６３７６４号公報（段落［００１８］、第１図）
【発明の概要】
【発明が解決しようとする課題】
【０００４】
ところが、上述した従来の引戸は、建物天井面に上部ガイドレールを設ける必要があり、設置作業に手間がかかるという問題があった。
【０００５】
本発明は、上記事情に鑑みてなされたものであって、従来よりも容易に引戸を設けることが可能な引戸ユニット及び引戸ユニットセットの提供を目的とする。
【課題を解決するための手段】
【０００６】
上記目的を達成するためになされた請求項１の発明に係る引戸ユニットは、建物内に起立状態にして設置される扁平箱形構造の引戸収納ボックスと、引戸収納ボックスのうち幅狭の一側面に形成されたメイン引出口を通して、引戸収納ボックスに収納可能な引戸とを備えて、引戸の戸先側端部以外の全体を引戸収納ボックス内に収納した収納完了位置と、引戸の戸尻側端部以外の全体を引戸収納ボックス外に引き出した引出完了位置との間で引戸をスライド操作可能とした引戸ユニットであって、引戸収納ボックスの内側上部に設けられ、引戸収納ボックスのうち幅狭の側面と直交する方向に延びた上部ガイドレールと、引戸の戸尻側端部の上端部に取り付けられ、上部ガイドレールにスライド可能に係合した上部スライダとからなる上部スライド機構によって引戸の戸尻側端部を吊り上げると共に、引戸の戸先側端部の下部に引戸支持キャスターを取り付けて建物の床面上で転動可能としたところに特徴を有する。
【０００７】
請求項２の発明は、請求項１に記載の引戸ユニットにおいて、引戸支持キャスターは、引戸のスライド方向と直交した回転軸を中心に回転可能としたところに特徴を有する。
【０００８】
請求項３の発明は、請求項１又は２に記載の引戸ユニットにおいて、引戸収納ボックス内のうちメイン引出口の両側部分に回転可能に支持され、引戸を厚さ方向で挟んだ状態で引戸のスライドに伴って回動する１対の支持ローラを備えたところに特徴を有する。
【０００９】
請求項４の発明は、請求項１乃至３の何れか１の請求項に記載の引戸ユニットにおいて、引戸収納ボックスの内側下部に設けられ、引戸収納ボックスのうち幅狭の側面と直交する方向に延びた下部ガイドレールと、引戸の下端部に設けられて下部ガイドレールと平行に延びた引戸側ガイドレールと、下部ガイドレールと引戸側ガイドレールとの間に設けられ、下部ガイドレール及び引戸側ガイドレールにスライド可能に係合した中間ガイドレールとからなる下部スライド機構を備えたところに特徴を有する。
【００１０】
請求項５の発明は、請求項１乃至４の何れか１の請求項に記載の引戸ユニットにおいて、引戸として、扁平箱形構造をなしかつメイン引出口と同じ方向を向いた第１引出口を有する第１引戸を備えると共に、その第１引出口を通して、第１引戸の内部に収納可能な第２引戸を備え、第２引戸の戸先側端部以外の全体を第１引戸の内部に収納した収納完了位置と、第２引戸の戸尻側端部以外の全体を第１引戸の外部に引き出した引出完了位置との間で第２引戸をスライド操作可能とし、第１引戸と第２引戸との間に上部スライド機構を設けると共に第２引戸の下部に第２引戸支持キャスターを取り付けて建物の床面上で転動可能としたところに特徴を有する。
【００１１】
請求項６の発明は、請求項５に記載の引戸ユニットにおいて、第２引戸支持キャスターは、第２引戸のスライド方向と直交した回転軸を中心に回転可能としたところに特徴を有する。
【００１２】
請求項７の発明は、請求項５又は６に記載の引戸ユニットにおいて、第１引戸のうち戸尻側端部に配置され、第１引戸のスライド方向と直交した回転軸を中心に回転可能な第１滑車と、第１引戸のうち戸先側端部の内部に配置され、第１引戸のスライド方向と直交した回転軸を中心に回転可能な第２滑車と、引戸収納ボックスの奥壁に一端部を固定されたワイヤーを、第１引戸の戸尻側端部に備えた戸尻側貫通孔を通して第２滑車で第１引戸の戸尻側に折り返してから第１滑車で第１引戸の戸先側にさらに折り返して、戸尻側貫通孔を通して引戸収納ボックスのメイン引出口側の端部内面にワイヤーの他端部を固定し、さらに、ワイヤーのうち第１滑車と第２滑車との間部分を第２引戸の戸尻側の端部に固定したことにより、第１引戸と第２引戸とが連動しかつ同時に収納完了位置及び引出完了位置に到達するように構成したところに特徴を有する。
【００１３】
請求項８の発明は、請求項１乃至７の何れか１の請求項に記載の引戸ユニットにおいて、引戸収納ボックスのうちメイン引出口と反対側の端部を建物に備えた固定対象物に回動可能に連結するメインヒンジと、引戸収納ボックスのうちメイン引出口側の端部の下面壁に上下動可能に支持された可動ベースと、可動ベースに取り付けられて、メインヒンジを中心として引戸収納ボックスが回動したときに建物の床面上で転動可能なボックス支持キャスターと、可動ベースと引戸とに設けられ、引戸が収納完了位置からずれているときに、可動ベースの上方への移動を許容し、引戸が収納完了位置に移動したときに、可動ベースを可動範囲の下端位置に向けて押し下げ、ボックス支持キャスターを床面に当接させることで引戸支持キャスターを床面から上方に離間させた状態に保持するベース位置切替機構とを備えたところに特徴を有する。
【００１４】
請求項９の発明に係る引戸ユニットセットは、請求項１乃至７の何れか１の請求項に記載の引戸ユニットの引戸収納ボックスに、請求項８に記載の引戸ユニットの引戸収納ボックスをメインヒンジにて回動可能に連結してなるところに特徴を有する。
【発明の効果】
【００１５】
［請求項１の発明］
請求項１の発明によれば、引戸の戸先側端部の下部には引戸支持キャスターが設けられ、引戸のうち引戸支持キャスターと対角の位置である戸尻側端部の上端部には、上部ガイドレールにスライド可能に係合した上部スライダが設けられているから、これら引戸支持キャスターと上部スライダとによって引戸を安定してスライド移動させることが可能になる。そして、上部スライダは、引戸の戸尻側端部の上端部に設けられているから、上部スライダと係合する上部ガイドレールは、引戸収納ボックスの内側上部だけに設けておけばよい。即ち、本発明によれば、引戸収納ボックスを建物内の任意の場所に置くだけで、そこに引戸を設けることができ、建物天井面に上部ガイドレールを設ける手間が省けるから、従来よりも容易に引戸を設けることが可能になる。
【００１６】
［請求項２の発明］
請求項２の発明によれば、引戸支持キャスターの転動方向は、上部スライド機構が案内するスライド方向と一致するので引戸の直進性が向上し、引戸をより安定してスライド移動させることが可能になる。
【００１７】
［請求項３の発明］
請求項３の発明によれば、引戸を厚さ方向で挟んだ状態で引戸のスライドに伴って回動する１対の支持ローラを備えたので、引戸の横振れを防止してスムーズに出し入れすることができる。
【００１８】
［請求項４の発明］
請求項４の発明によれば、下部スライド機構を備えたことで、引戸の出し入れを、よりスムーズに行うことが可能になる。また、下部ガイドレールと引戸側ガイドレールとの間に中間ガイドレールが設けられ、引戸を引出完了位置にしたときに、中間ガイドレールの一端側の所定長さ分を下部ガイドレールに係合させ、他端側の所定長さ分を引戸側ガイドレールに係合させることができるから、引出完了位置における引戸の横振れをより確実に抑えることができ、安定性が向上する。
【００１９】
［請求項５の発明］
請求項５の発明によれば、引戸としての第１引戸から、その第１引戸と同じスライド方向に第２引戸を引き出すことが可能であるから、より幅広な開口部の開閉を行うことが可能になる。
【００２０】
［請求項６の発明］
請求項６の発明によれば、第２引戸支持キャスターの転動方向は、第１引戸と第２引戸との間に設けられた上部スライド機構が案内するスライド方向と一致するので、第２引戸をより安定してスライド移動させることが可能になる。
【００２１】
［請求項７の発明］
請求項７の発明によれば、引戸収納ボックスに対する第１引戸のスライドに連動して、第２引戸が第１引戸に対して第１引戸と同一方向に同一距離だけスライドして、収納完了位置及び引出完了位置に同時に到達する。従って、第１引戸をスライド操作した場合に、は、第２引戸をスライド操作した場合の半分の操作量で、第１引戸及び第２引戸を引出完了位置と収納完了位置との間でスライド移動させることが可能となる。
【００２２】
［請求項８の発明］
請求項８の発明によれば、建物に備えた固定対象物に引戸収納ボックスをメインヒンジによって回動可能に連結すると、引戸収納ボックス自体が「開き戸」となって開口部の一部を引戸収納ボックスで開閉することが可能となり、開口部の残りを引戸収納ボックスから引き出し可能な引戸によって開閉することが可能になる。
【００２３】
また、引戸が収納完了位置に位置するときに、可動ベースがベース位置切替機構によって押し下げられてボックス支持キャスターが床面に押し付けられ、この状態で引戸収納ボックスを回動操作すると、ボックス支持キャスターが床面を転動するので、引戸収納ボックスの回動操作を比較的容易に行うことができる。しかも、このとき引戸支持キャスターは床面から離間しているから、引戸収納ボックスの回動操作時に、引戸支持キャスターが床面と擦れて回動の妨げとなることを防止することができる。
【００２４】
［請求項９の発明］
請求項９の発明によれば、請求項１乃至７の何れか１の請求項に記載の引戸ユニットに対して請求項８に記載の引戸ユニットを回動させることが可能になる。
【図面の簡単な説明】
【００２５】
【図１】本発明の第１実施形態に係る引戸ユニットの斜視図
【図２】引戸を収納完了位置にした状態の引戸ユニットの正面図
【図３】引戸を引出完了位置にした状態の引戸ユニットの正面図
【図４】引戸ユニットにおける引戸収納ボックスの側断面図
【図５】上部スライド機構の部分断面図
【図６】（Ａ）収納完了位置のときの下部スライド機構の斜視図、（Ｂ）収納完了位置からずらされたときの下部スライド機構の斜視図
【図７】引出完了位置のときの下部スライド機構の斜視図
【図８】（Ａ）引出完了位置にした引戸ユニットの平面図、（Ｂ）収納完了位置にした引戸ユニットの平面図、（Ｃ）引戸収納ボックスを回動させた状態の引戸ユニットの平面図
【図９】引戸が収納完了位置からずれているときの引戸ユニットの下端部の部分断面図
【図１０】引戸を収納完了位置にして引戸収納ボックスを回動操作したときの引戸ユニットの下端部の部分断面図
【図１１】第２実施形態に係る引戸ユニットの斜視図
【図１２】引戸ユニットを戸先側から見た側面図
【図１３】引戸ユニットの部分断面図
【図１４】下部スライド機構を戸尻側から見た側断面図
【図１５】引戸連動機構の概念図
【図１６】引戸を収納完了位置にしたときの引戸連動機構のスケルトンモデル
【図１７】引戸が収納完了位置と引出完了位置との中間に位置したときの引戸連動機構のスケルトンモデル
【図１８】引戸を引出完了位置にしたときの引戸連動機構のスケルトンモデル
【発明を実施するための形態】
【００２６】
［第１実施形態］
以下、本発明に係る引戸ユニット１００の第１実施形態を図１〜図１０に基づいて説明する。図１に示すように引戸ユニット１００は、引戸２０と、その引戸２０を収納可能な引戸収納ボックス１０とを備えている。引戸収納ボックス１０は、扁平箱形構造をなしており、建物内に起立状態にして設置可能となっている。なお、本実施形態の引戸収納ボックス１０は、長板をコの字形に連結してなる枠体を、矩形状をなした１対のパネル材で挟んで接合した構造であるが、引戸収納ボックスの材質や組み立て構造は特に限定するものでない。
【００２７】
引戸収納ボックス１０の内部には、扁平矩形状のボックス内空間１１（図２参照）が形成されており、引戸収納ボックス１０のうち、幅狭の一側面１０Ａには、ボックス内空間１１を側方に開放した縦長のメイン引出口１２が形成されている。このメイン引出口１２を通して引戸２０を引戸収納ボックス１０内に収納及び引き出すことが可能となっている。以下、説明の便宜のため、引戸収納ボックス１０のメイン引出口１２が開放した方を「前方」といい、その反対側を「後方」といい、引戸収納ボックス１０における幅狭の一側面１０Ａと直交する方向を「前後方向」という。
【００２８】
図１に示すように、引戸２０は扁平矩形状をなしており、例えば、１枚のパネル材或いは、複数枚のパネル材を重ねて構成されている。引戸２０は、図２に示すように、戸先側端部以外の全体を引戸収納ボックス１０内に収納した収納完了位置と、図３に示すように、戸尻側端部以外の全体を引戸収納ボックス１０の外に引き出した引出完了位置との間でスライド移動可能となっている。引戸２０は、戸尻側端部が引戸収納ボックス１０の後端壁１３に備えた図示しない戸当たりに当接することで収納完了位置に位置決めされ、引戸２０と引戸収納ボックス１０との間に設けられた図示しない引抜規制部により、引出完了位置に位置決めされる。また、収納完了位置にしたときの引戸２０の引き残し部分（戸先側端部）の両面には、引戸２０をスライド操作する際に手を掛けるための引き手２１，２１が設けられている（図１〜図３には、一方の引き手２１のみが図示されている）。なお、本実施形態の引き手２１は堀込み形であるが、所謂、「バーハンドル」でもよい。
【００２９】
図３に示すように、引戸２０のうち、戸先側端部の下部には引戸支持キャスター３０が設けられている。引戸支持キャスター３０は、引戸２０の下端面から突出しており、引戸収納ボックス１０が設置された建物の床面Ｆ１上で転動可能となっている。引戸支持キャスター３０は、床面Ｆ１を転動する転動体として、トレッド面が平坦な車輪３０Ｒを備えており、その車輪３０Ｒは、引戸２０の厚さ方向と平行な（引戸２０のスライド方向と直交した）回転軸で回転可能となっている（図４参照）。即ち、引戸支持キャスター３０の転動方向は、次述する上部スライド機構４０が案内する引戸２０のスライド方向と一致するように構成されている。
【００３０】
図２に示すように、引戸２０のうち、引戸支持キャスター３０に対して対角の位置、即ち、引戸２０の戸尻側端部の上端部には、上部スライダ４１が取り付けられている。上部スライダ４１は、吊り車（より詳細には、四輪の複車）である。即ち、上部スライダ４１は、図５に示すように、スライド方向の前後に間隔を開けて２つずつ、合計４つの走行輪４３，４３をスライダ本体４２の両側面に備え、そのスライダ本体４２から垂下した連結軸４４の下端部が引戸２０の上端部に固定されている。
【００３１】
この上部スライダ４１を介して引戸２０の戸尻側端部をスライド可能に吊り上げるために、引戸収納ボックス１０には上部ガイドレール４５が備えられている。上部ガイドレール４５は、引戸収納ボックス１０の内側（ボックス内空間１１）の上端面１１Ａに固定され、引戸収納ボックス１０の前後方向に延びている。上部ガイドレール４５は、引戸２０が収納完了位置と引出完了位置との間で移動したときの上部スライダ４１の移動範囲に合わせて設けられており、上部スライダ４１の移動範囲の全域で上部スライダ４１とのスライド係合が維持されるように構成されている。上部ガイドレール４５は、その長手方向と直交する水平方向で隙間を空けて平行配置された１対のレール溝部４６，４６を有し、それら１対のレール溝部４６，４６の上面を、上部スライダ４１の両側面に備えた各走行輪４３，４３が走行可能となっている。そして、上部スライダ４１と上部ガイドレール４５とによって上部スライド機構４０が構成されている。
【００３２】
上記したように、上部スライダ４１と引戸支持キャスター３０は、引戸２０の対角の位置に配置されているので、これらだけでも安定して引戸２０をスライド移動させることが可能であるが、より安定性を高めるために、引戸収納ボックス１０内には、引戸２０を厚さ方向で挟んだ１対の支持ローラ５０，５０が備えられている。１対の支持ローラ５０，５０は、引戸２０が引出完了位置まで引き出された状態（図３に示す状態）でも、引戸収納ボックス１０内に残された引戸２０の戸尻側端部を挟むことが可能な位置に配置されている。具体的には、メイン引出口１２の両側部分でかつ、上下方向の中間部より上側に配置されている。これら支持ローラ５０，５０は、ボックス内空間１１で鉛直方向に延びた支持シャフト５１，５１に回転可能に軸支されている。支持シャフト５１は、その上端部のみが引戸収納ボックス１０に固定された片持ち構造となっており、支持シャフト５１の下端部に備えた鍔部５２で支持ローラ５０を抜け止めしている。また。支持ローラ５０は、軸方向（上下方向）の両端部から中間部に向かうに従って拡径した紡錘形をなしている。そして、引戸２０が引戸収納ボックス１０に出し入れされるときに、引戸２０のスライドに連動してこれら１対の支持ローラ５０，５０が回転するように構成されている。これら１対の支持ローラ５０，５０によって引戸２０の横揺れを抑えることができ、引戸２０をスムーズに出し入れすることができる。
【００３３】
引戸収納ボックス１０と引戸２０との間には、上記した上部スライド機構４０と協働して引戸２０のスライド移動をガイドする下部スライド機構６０が備えられている。図６に示すように、下部スライド機構６０は、ボックス内空間１１の下端面に固定された下部ガイドレール６１と、引戸２０の下端面に設けられた引戸側ガイドレール２２と、それら下部ガイドレール６１と引戸側ガイドレール２２との双方にスライド可能に係合した中間ガイドレール６２とから構成されている。
【００３４】
下部ガイドレール６１は、上部ガイドレール４５と同様に引戸収納ボックス１０の前後方向に延びている。図６（Ｂ）に示すように、下部ガイドレール６１は、例えば、断面矩形の角パイプ構造をなしており、その幅方向の一側面に側面長孔６１Ａが貫通形成されている。側面長孔６１Ａは、下部ガイドレール６１の戸尻側の端部から軸方向の中間部まで連続して延びている。
【００３５】
中間ガイドレール６２は、例えば、断面門形（下方に開放したコの字形）をなしており、その内側に下部ガイドレール６１をスライド可能に受容している。中間ガイドレール６２の戸尻側端部にはスライドピン６２Ｐが設けられ、これが下部ガイドレール６１の側面長孔６１Ａ内にスライド可能に挿入されている。また、中間ガイドレール６２の上面には上面長孔６２Ａが貫通形成されている。上面長孔６２Ａは、戸尻側の端部から軸方向の中間部まで連続して延びている。なお、下部ガイドレール６１及び中間ガイドレール６２は共に金属製であって、例えば、アルミ型材で構成されている。
【００３６】
引戸側ガイドレール２２は、引戸２０の下端面における幅方向の中央部をコの字形に陥没させた下面開放の溝形構造をなしている。引戸側ガイドレール２２は、引戸２０の戸尻側の端面から戸先側に向かって延びており、その内側に中間ガイドレール６２がスライド可能に受容されている。引戸側ガイドレール２２における戸尻側の端部上面からは、スライドピン２２Ｐ（図６（Ａ）参照）が垂下しており、これが中間ガイドレール６２の上面長孔６２Ａ内にスライド可能に挿入されている。
【００３７】
引戸２０を収納完了位置（図６（Ａ）に示す位置）から引き出した場合、途中までは、引戸２０のみが単独でスライドする。この間、引戸２０に備えたスライドピン２２Ｐが中間ガイドレール６２の上面長孔６２Ａ内を移動する。引戸２０が約半分程引き出されると、スライドピン２２Ｐが上面長孔６２Ａの戸先側端部に当接する。これより先は、引戸２０と中間ガイドレール６２とが一体にスライドし、中間ガイドレール６２が下部ガイドレール６１に対してスライドする（図６（Ｂ）に示す状態）。この間、中間ガイドレール６２に備えたスライドピン６２Ｐが下部ガイドレール６１の側面長孔６１Ａ内を移動する。そして、スライドピン６２Ｐが側面長孔６１Ａの戸先側端部に当接すると、それ以上のスライドが禁止されて引戸２０は、図７に示す引出完了位置になる。この引出完了位置において、下部ガイドレール６１には、中間ガイドレール６２の全長の約半分が係合し、中間ガイドレール６２の残り約半分が下部ガイドレール６１よりも前方に延びた状態となる。そして、下部ガイドレール６１より前方に延びた中間ガイドレール６２の残り約半分が、引戸側ガイドレール２２と係合した状態になる。つまり、中間ガイドレール６２が、下部ガイドレール６１と引戸側ガイドレール２２との双方にそれぞれ全長の約半分ずつ係合した状態になるから、引出完了位置にしたときの引戸２０の横振れをより確実に抑えることができ、安定性が向上する。
【００３８】
なお、引出完了位置から収納完了位置に向けて引戸２０を移動させた場合の下部スライド機構６０の動作も、上記した動作と同様であり、途中までは引戸２０のみが単独でスライドし、途中から収納完了位置に至るまで引戸２０と中間ガイドレール６２とが一体になってスライドする。
【００３９】
さて、本実施形態の引戸ユニット１００は、単に引戸としてだけでなく、「開き戸」としても使用可能である。即ち、引戸収納ボックス１０のうち、メイン引出口１２とは反対の後端部には、複数のメインヒンジ１９，１９が取り付けられている。これらメインヒンジ１９，１９は、建物に備えた固定対象物、具体的には、建物の壁体に形成された開口部Ｗ１の一側縁部に固定されて、引戸収納ボックス１０を開口部Ｗ１に対して回動可能に連結している。
【００４０】
つまり、本実施形態の引戸ユニット１００は、図８（Ａ）から同図（Ｃ）への変化に示すように、引戸収納ボックス１０自体が「開き戸」となって開口部Ｗ１の一側縁部側を開閉することが可能であり、開口部Ｗ１の残りを引戸収納ボックス１０から引き出すことが可能な引戸２０によって開閉することが可能になっている。これにより、開口部Ｗ１の開口幅を必要に応じて全閉、半開、全開の３段階に調節することが可能になる。
【００４１】
ここで、本実施形態のメインヒンジ１９，１９は、「グレビティヒンジ」と称されるものであって、その回動方向の一端から他端（例えば、図８（Ｂ）に示す位置から同図（Ｃ）に示す位置）に向けて引戸収納ボックス１０を回動させる過程で、カム機構によって引戸収納ボックス１０を徐々に上に移動させて床面Ｆ１から離間させることが可能となっている。
【００４２】
さらに、本実施形態の引戸ユニット１００は、引戸収納ボックス１０をメインヒンジ１９，１９を中心にして回動操作する際の操作性を向上させるために、以下のような回動アシスト機構を備えている。即ち、図９に示すように、引戸収納ボックス１０のうち、メイン引出口１２に近い前端部近傍には、引戸収納ボックス１０の下面壁１４を貫通したキャスター出没孔１４Ａが設けられている。キャスター出没孔１４Ａは、引戸収納ボックス１０の下面（床面Ｆ１に対する設置面）に開放すると共に、ボックス内空間１１に連通している。
【００４３】
そのキャスター出没孔１４Ａの内側には可動ベース１５が備えられている。可動ベース１５は、例えば、ヒンジ１５Ｈを介して下面壁１４に支持されており、キャスター出没孔１４Ａ内で上下動可能となっている。可動ベース１５は、メイン引出口１２から奥側に向かって上り傾斜となった干渉突部１５Ｔを備えており、図９に示すように、引戸２０が収納完了位置からずれているときには、干渉突部１５Ｔが引戸２０の引戸側ガイドレール２２内に突出するように構成されている。
【００４４】
可動ベース１５のうち干渉突部１５Ｔとは反対側には、ボックス支持キャスター１６が取り付けられている。ボックス支持キャスター１６は、転動体としてボール１６Ｂを備えたボールキャスターであり、そのボール１６Ｂが、引戸収納ボックス１０を設置した床面Ｆ１に当接可能となっている。
【００４５】
一方、引戸２０の下端部のうち、引戸２０が収納完了位置に位置したときの干渉突部１５Ｔの直上位置、具体的には、引戸支持キャスター３０よりも少し戸尻側の位置には、可動ベース押下体２４とその可動ベース押下体２４を収納した下面開放の押下体収納部２３とが備えられている。
【００４６】
押下体収納部２３は、引戸２０の下端部に形成された引戸側ガイドレール２２の前端部よりも戸先側に形成されて引戸側ガイドレール２２と連続している。可動ベース押下体２４は、押下体収納部２３の上面に固定された支持金具２４Ａでローラ２４Ｒを軸支した構成となっており、ローラ２４Ｒは、引戸２０のスライド方向と直交した回転軸を中心にして回転可能となっている。
【００４７】
図９に示すように、引戸２０が収納完了位置からずれているとき、可動ベース押下体２４のローラ２４Ｒと、可動ベース１５の干渉突部１５Ｔとが離間しており、可動ベース１５は上方への移動を許容される。即ち、引戸収納ボックス１０の下面全体が床面Ｆ１に接するので、その床面Ｆ１に押されて可動ベース１５のボックス支持キャスター１６がキャスター出没孔１４Ａ内に没入し、干渉突部１５Ｔが引戸２０の引戸側ガイドレール２２内に突出する。
【００４８】
これに対し、図１０に示すように、引戸２０がスライドして収納完了位置になると、可動ベース押下体２４のローラ２４Ｒが可動ベース１５の干渉突部１５Ｔに乗り上げて、ボックス支持キャスター１６を床面Ｆ１に押し付けると共に、引戸２０の戸先側端部に備えた引戸支持キャスター３０（車輪３０Ｒ）が床面Ｆ１から僅かに離間する。
【００４９】
そして、この状態でメインヒンジ１９，１９を中心にして引戸収納ボックス１０の回動操作（例えば、図８（Ｂ）に示す位置から同図（Ｃ）に示す位置への回動操作）を行うと、メインヒンジ１９，１９であるグレビティヒンジの作用によって、図１０に示すように、引戸収納ボックス１０の全体が上方にせり上がって床面Ｆ１から離間する一方、引戸２０の自重で下方に押されたボックス支持キャスター１６が引戸収納ボックス１０の下面から突出して床面Ｆ１上を転動するので、引戸収納ボックス１０を容易に回動操作することができる。ここで、干渉突部１５Ｔと可動ベース押下体２４とが本発明の「ベース位置切替機構」に相当する。
【００５０】
このように、本実施形態によれば、引戸２０の戸先側端部の下部には引戸支持キャスター３０が設けられ、引戸２０のうち引戸支持キャスター３０と対角の位置である戸尻側端部の上端部には、上部ガイドレール４５にスライド可能に係合した上部スライダ４１が設けられているから、これら引戸支持キャスター３０と上部スライダ４１とによって引戸２０を安定してスライド移動させることができる。そして、上部スライダ４１は、引戸２０の戸尻側端部の上端部に設けられているから、上部スライダ４１と係合する上部ガイドレール４５は、引戸収納ボックス１０の内側上部（ボックス内空間１１の上端面１１Ａ）だけに設けておけばよい。即ち、本発明によれば、引戸収納ボックス１０を建物内の任意の場所に置くだけで、そこに引戸２０を設けることができ、建物天井面に上部ガイドレールを設ける手間が省けるから、従来よりも容易に引戸２０を設けることが可能になる。
【００５１】
また、引戸２０に備えた引戸支持キャスター３０（車輪３０Ｒ）の転動方向が、上部スライド機構４０が案内する引戸２０のスライド方向と一致するように構成されているから、そのスライド方向への引戸２０の直進性が向上し、引戸２０をより安定してスライド移動させることができる。
【００５２】
また、本実施形態の引戸ユニット１００は、引戸収納ボックス１０をメインヒンジ１９，１９を中心にして回動可能な「開き戸」としても使用することができる。そして、引戸２０を収納完了位置にして引戸収納ボックス１０をメインヒンジ１９，１９を中心にして回動操作すると、引戸収納ボックス１０に備えたボックス支持キャスター１６が引戸２０の自重で床面Ｆ１に押し付けられて床面Ｆ１を転動するから、引戸収納ボックス１０の回動操作を比較的容易に行うことができる。また、引戸支持キャスター３０の車輪３０Ｒは、メインヒンジ１９，１９を中心とした引戸収納ボックス１０の回動方向に転動不可能であるが、引戸２０を収納完了位置にすると、引戸支持キャスター３０の車輪３０Ｒは床面Ｆ１から離間するから、引戸収納ボックス１０の回動操作時に、引戸支持キャスター３０が床面Ｆ１と擦れて回動の妨げになったり、引戸支持キャスター３０が破損することを防止することができる。
【００５３】
また、本実施形態によれば、引戸２０は、戸尻側端部の上端に備えた上部スライダ４１と戸先側端部の下端に備えた引戸支持キャスター３０のみで支持されているから、引戸２０を戸先側に傾けた前下がり姿勢や、戸尻側に傾けた前上がり姿勢にすることが可能である。従って、引戸２０のスライド方向で床面Ｆ１に多少の起伏があったとしても、その起伏を引戸２０の傾きで吸収することができ、安定してスライドさせることが可能となる。
【００５４】
［第２実施形態］
本発明の第２実施形態は図１１〜図１８に示されており、引戸を２枚備えている点、メインヒンジ１９，１９を備えていない点が主として異なる。以下、第１実施形態との共通部分の説明は同一符号を付して省略し、第１実施形態との相違点のみを説明する。
【００５５】
図１１に示すように、本実施形態の引戸ユニット２００は、第１引戸２０と第２引戸７０とを備えている。第１引戸２０は、床面Ｆ１上に自立設置可能な引戸収納ボックス１０のメイン引出口１２を通して引戸収納ボックス１０内（ボックス内空間１１）に収納可能となっている。第１引戸２０は、戸先側端部以外の全体を引戸収納ボックス１０内に収納した収納完了位置と（図１６参照）、戸尻側端部以外の全体を引戸収納ボックス１０から外側に引き出した引出完了位置（図１８参照）との間でスライド移動可能となっている。
【００５６】
第１引戸２０は、引戸収納ボックス１０を一回り小さくしたような扁平箱形構造をなしている。具体的には、例えば、長板をコの字形に連結してなる枠体を、矩形状をなした１対のパネル材で挟んで接合した構造となっているが、第１引戸２０の材質や組み立て構造は、特に限定するものではない。
【００５７】
第１引戸２０の内部には、扁平矩形状の引戸内空間２１１（図１３参照）が形成されており、第１引戸２０の幅狭の一側面２１０Ａには、メイン引出口１２と同じ方向を向いた縦長の第１引出口２１２が形成されている（図１１参照）。この第１引出口２１２を通して第２引戸７０を第１引戸２０内に収納及び引き出すことが可能となっている。
【００５８】
第２引戸７０は、扁平矩形状をなしており、例えば、１枚のパネル材或いは、複数枚のパネル材を重ねて構成されている。第２引戸７０は、その戸先側端部以外の全体を第１引戸２０内に収納した収納完了位置（図１６参照）と、戸尻側端部以外の全体を第１引戸２０から外側に引き出した引出完了位置（図１８参照）との間でスライド移動可能となっている。なお、収納完了位置にしたときの第２引戸７０の引き残し部分（戸先側端部）の両面には、第２引戸７０を操作する際に手を掛けるための引き手７１，７１が設けられている（図１１及び図１３には、一方の引き手７１のみが図示されている）。なお、本実施形態の引き手７１は堀込み形であるが、所謂、「バーハンドル」でもよい。
【００５９】
引戸収納ボックス１０と第１引戸２０との間には、上記第１実施形態の引戸ユニット１００に備えられたものと同様な上部スライド機構４０（図１３参照）、下部スライド機構６０（図１４参照）及び１対の支持ローラ５０，５０（図１２参照）が備えられている。詳細には、下部スライド機構６０が、第１引戸２０の厚さ方向の一方に片寄って配置され、引戸側ガイドレール２２が第１引戸２０の下面と一側面とに開放している点を除けば、上記第１実施形態の引戸ユニット１００に備えられたものと同一の構成である。なお、引戸側ガイドレール２２の側面の開放部分を図示しないカバー体で覆ってもよい。
【００６０】
第１引戸２０の戸先側端部の下部には、上記第１実施形態の引戸ユニット１００に備えられたものと同一の引戸支持キャスター３０，３０が、第１引戸２０の厚さ方向で対をなして設けられている。
【００６１】
第１引戸２０と第２引戸７０との間には、上記第１実施形態の引戸ユニット１００に備えられたものと同一の上部スライド機構２４０（図１３参照）、下部スライド機構２６０（図１４参照）及び１対の支持ローラ２５０，２５０（図１２参照）が備えられている。
【００６２】
第２引戸７０の戸先側端部の下部には、転動体として車輪２３０Ｒを備えた第２引戸支持キャスター２３０が取り付けられている。第２引戸支持キャスター２３０は、第２引戸７０の下端面から突出しており、引戸収納ボックス１０が設置された建物の床面Ｆ１を転動可能となっている。第２引戸支持キャスター２３０は、第１引戸２０に備えた引戸支持キャスター３０と同一構造であり、車輪２３０Ｒが第２引戸７０の厚さ方向と平行な（第２引戸７０のスライド方向と直交した）回転軸で回転可能となっている。即ち、第２引戸支持キャスター２３０の転動方向は、次述する上部スライド機構２４０が案内する第２引戸７０のスライド方向と一致するように構成されている。
【００６３】
上部スライド機構２４０は、第２引戸７０の戸尻側端部をスライド可能に吊り上げている。図１３に示すように、上部スライド機構２４０は、上部スライダ２４１と、その上部スライダ２４１がスライド可能に係合した上部ガイドレール２４５とから構成されている。上部スライダ２４１は、第２引戸７０のうち、第２引戸支持キャスター２３０に対して対角の位置である戸尻側端部の上端部に設けられている。これに対し、上部ガイドレール２４５は、第１引戸２０内の引戸内空間２１１内の上端面２１１Ａ（図１２及び図１３参照）に固定され、第１引戸２０の前後方向に延びている。
【００６４】
第１引戸２０内には、第２引戸７０を厚さ方向で挟んだ１対の支持ローラ２５０，２５０が備えられている（図１２参照）。１対の支持ローラ２５０，２５０は、第２引戸７０が引出完了位置まで引き出されたときでも、第１引戸２０内に残された第２引戸７０の戸尻側端部を挟むことが可能な位置、詳細には、第１引出口２１２の両側部分でかつ、上下方向の中間部より上側に配置されている。そして、第２引戸７０が第１引戸２０内に出し入れされるときに、第２引戸７０のスライドに連動してこれら１対の支持ローラ２５０，２５０が回転する。なお、図示しないが、第２引戸７０を支持する支持ローラ２５０は、支持ローラ５０と同様に、引戸内空間２１１で鉛直方向に延びた片持ちの支持シャフトに回動可能に軸支されている。
【００６５】
第１引戸２０と第２引戸７０との間に設けられた下部スライド機構２６０は、図１４に示すように、第１引戸２０の引戸内空間２１１の下端面に設けられた下部ガイドレール２６１と、第２引戸７０の下端面に設けられた引戸側ガイドレール７２と、それら下部ガイドレール２６１と引戸側ガイドレール７２との双方にスライド可能に係合した中間ガイドレール２６２とから構成されている。この下部スライド機構２６０と、前記した１対の支持ローラ２５０，２５０とにより、第２引戸７０の横振れが抑えられて安定性が向上し、第２引戸７０を第１引戸１０に対してスムーズに出し入れすることが可能になる。
【００６６】
さて、本実施形態の引戸ユニット２００には、第１引戸２０のスライド移動と第２引戸７０のスライド移動とを連動させる引戸連動機構が備えられている。引戸連動機構は、後述するようにワイヤー８３と複数の滑車８１，８２とを有し、引戸収納ボックス１０に対する第１引戸２０のスライドに連動して、第２引戸７０が第１引戸２０に対して第１引戸２０と同一方向に同一距離だけ移動して、第１引戸２０と第２引戸７０とが収納完了位置及び引出完了位置に同時に到達するようにしたものである。
【００６７】
具体的には、図１５及び図１６に示すように、第１引戸２０のうち戸尻側端部には第１滑車８１が設けられ、戸先側端部の内部には第２滑車８２が設けられている。第１滑車８１は、鉛直方向を向いた回転軸８１Ｊを中心に回転可能となっており、第２滑車８２はスライド方向と直交した水平方向を向いた回転軸８２Ｊを中心に回転可能となっている。なお、図１６〜図１８では、説明の便宜のため、第１滑車８１の回転軸８１Ｊを水平にして示してある。
【００６８】
ワイヤー８３の一端部は引戸収納ボックス１０の後端壁１３内面に固定されており、第１引戸２０の戸尻側端部に備えた戸尻側貫通孔２５を通して第１引戸２０の戸先側に向かって延び、第２滑車８２で第１引戸２０の戸尻側に折り返してから第１滑車８１で第１引戸２０の戸先側にさらに折り返して、第１引戸２０の戸尻側貫通孔２５を通して引戸収納ボックス１０の前端壁１８内面にワイヤー８３の他端部が固定されている。なお、ワイヤー８３の一端部はスプリング（図示せず）を内蔵した取付金具８４を介して引戸収納ボックス１０に固定されており、スプリングによってワイヤー８３が常に張った状態になるように構成されている。そして、ワイヤー８３のうち第１滑車８１と第２滑車８２との間で延びた部分に、第２引戸７０の戸尻側端部がワイヤー挟持具８５を介して固定されている。
【００６９】
引戸ユニット２００の構成は以上であって、次に引戸ユニット２００の動作を説明する。図１６に示すように、第１引戸２０及び第２引戸７０が収納完了位置に位置する場合に、第１引戸２０を引き出すと、第１滑車８１及び第２滑車８２とが引戸収納ボックス１０に対して前方に移動するので、第１滑車８１と第２滑車８２との間でワイヤー８３は、第１引戸２０の収納完了位置からの移動距離と同じ距離だけ第１引戸２０の戸先側に向かって移動する。従って、図１６から図１７への変化に示すように、ワイヤー８３のうち第１滑車８１と第２滑車８２との間部分に連結された第２引戸７０も、第１引戸２０の移動距離と同じ距離だけ収納完了位置から移動する。そして、図１８に示すように、第１引戸２０が引出完了位置に到達するのと同時に、第２引戸７０が引出完了位置に到達する。
【００７０】
図１６に示すように、第１引戸２０及び第２引戸７０が収納完了位置に位置する場合に、第２引戸７０を引き出すと、ワイヤー挟持具８５が第１引戸２０の戸先側に移動するので、第１滑車８１と第２滑車８２との間でワイヤー８３は、第２引戸７０の収納完了位置からの移動距離と同じ距離だけ第１引戸２０の戸先側に移動する。すると、図１６から図１７への変化に示すように、第１引戸２０の戸尻側の第１滑車８１が引っ張られて第１引戸２０が収納完了位置から引き出され、第１引戸２０に対する第２引戸７０の移動距離と同じ距離だけ第１引戸２０が引戸収納ボックス１０に対して移動する。そして、図１８に示すように、第２引戸７０が引出完了位置に到達するのと同時に、第１引戸２０が引出完了位置に到達する。
【００７１】
ここで、第１引戸２０を操作した場合と、第２引戸７０を操作した場合とを比べると、第１引戸２０を操作した場合には、第２引戸７０を操作した場合の半分の操作量で、第１引戸２０及び第２引戸７０を引出完了位置まで移動させることができる。
【００７２】
図１８に示すように、第１引戸２０及び第２引戸７０が引出完了位置に位置する場合に、第１引戸２０を引戸収納ボックス１０側に移動させると、第１滑車８１及び第２滑車８２が引戸収納ボックス１０側に移動するので、それら第１滑車８１と第２滑車８２との間でワイヤー８３は、第１引戸２０の引出完了位置からの移動距離と同じ距離だけ、第１引戸２０の戸尻側に向かって移動する。従って、図１８から図１７への変化に示すように、ワイヤー８３のうち第１滑車８１と第２滑車８２との間部分に連結された第２引戸７０も、第１引戸２０の移動距離と同じ距離だけ引出完了位置から移動する。そして、図１６に示すように、第１引戸２０が収納完了位置に到達するのと同時に、第２引戸７０が収納完了位置に到達する。
【００７３】
図１８に示すように、第１引戸２０及び第２引戸７０が引出収完了位置に位置する場合に、第２引戸７０を引戸収納ボックス１０側に移動させると、ワイヤー挟持具８５が第１引戸２０の戸尻側に移動するので、第１滑車８１と第２滑車８２との間でワイヤー８３は、第２引戸７０の引出完了位置からの移動距離と同じ距離だけ第１引戸２０の戸尻側に移動する。すると、図１８から図１７への変化に示すように、第１引戸２０の戸先側の第２滑車８２が引っ張られて第１引戸２０が引戸収納ボックス１０側に引き込まれ、第２引戸７０の移動距離と同じ距離だけ第１引戸２０が引出完了位置から移動する。そして、図１６に示すように、第２引戸７０が引出完了位置に到達するのと同時に、第１引戸２０が引出完了位置に到達する。
【００７４】
ここで、第１引戸２０を操作した場合と、第２引戸７０を操作した場合とを比べると、第１引戸２０を操作した場合には、第２引戸７０を操作した場合の半分の操作量で、第１引戸２０及び第２引戸７０を収納完了位置まで移動させることができる。
【００７５】
このように本実施形態によれば、上記第１実施形態と同様に、従来よりも容易に第１引戸２０及び第２引戸７０を設けることが可能になると共に、以下のような効果を奏する。即ち、第１引戸２０から、その第１引戸２０と同じスライド方向に第２引戸７０を引き出すことが可能なので、より幅広な開口部Ｗ１を開閉することが可能になる。また、第２引戸支持キャスター２３０（車輪２３０Ｒ）の転動方向は、上部スライド機構２４０が案内する第２引戸７０のスライド方向と一致するので、そのスライド方向への第２引戸７０の直進性が向上し、第２引戸７０をより安定してスライド移動させることが可能になる。さらに、引戸収納ボックス１０に対する第１引戸２０のスライド移動に連動して、第２引戸７０が第１引戸２０に対して第１引戸２０と同一方向に同一距離だけスライド移動して、収納完了位置及び引出完了位置に同時に到達するから、第１引戸２０を操作した場合には、第２引戸７０を操作した場合の半分の操作量で、第１引戸２０及び第２引戸７０を収納完了位置と引出完了位置との間で移動させることができる。即ち、第１引戸２０をスライド操作することで開口部Ｗ１の開閉を速やかに行うことが可能になる。
【００７６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７７】
（１）上記第１実施形態では、引戸ユニット１００を、建物に備えた固定対象物に回動可能に連結していたが、上記第１実施形態の引戸ユニット１００の引戸収納ボックス１０に、上記第２実施形態の引戸ユニット２００の引戸収納ボックス１０をメインヒンジ１９，１９によって回動可能に連結してもよい（本発明の「引戸ユニットセット」に相当する）。
【００７８】
（２）上記第１及び第２実施形態では、引戸支持キャスター３０が転動体として車輪３０Ｒを備えていたが、転動体としてボールを備えていてもよい。
【００７９】
（３）上記第１及び第２実施形態では、上部スライダ４１，２４１としての吊り車が片側二輪の複車であったが、片側一輪の単車でもよい。また、上部スライダ４１，２４１のスライド方向と直交した両側面に走行輪４３，４３を有していたが、一側面だけに走行輪４３を有した構成としてもよい。
【００８０】
（４）上記第１実施形態における引戸２０及び、上記第２実施形態における第２引戸７０は、引戸支持キャスター３０及び第２引戸支持キャスター２３０がそれぞれ１つだけであったが、スライド方向と直交した水平方向で対をなすようにそれぞれ２つずつ設けてもよい。
【００８１】
（５）上記第２実施形態において、引戸収納ボックス１０にメインヒンジ１９，１９を設けると共に、引戸収納ボックス１０と第１引戸２０とに回動アシスト機構（可動ベース１５、ボックス支持キャスター１６、可動ベース押下体２４等）を設けて、第１実施形態の引戸ユニット１００と同様な作用で、引戸収納ボックス１０（引戸ユニット２００）の回動操作が可能な構成としてもよい。
【００８２】
（６）上記第２実施形態では、２枚の引戸２０，７０を備えていたが、３枚以上の引戸を入れ子式に備えた構成でもよい。
【００８３】
（７）上記第１及び第２実施形態において、引戸収納ボックス１０からの引戸２０，７０の飛び出しを防止するために、収納完了位置で引戸２０，７０の移動を禁止するロック部材（例えば、引戸収納ボックス１０及び引戸２０，７０を貫通可能な閂）を設けてもよい。
【符号の説明】
【００８４】
１０    引戸収納ボックス
１２    メイン引出口
１５    可動ベース
１５Ｔ    干渉突部
１６    ボックス支持キャスター
１９    メインヒンジ
２０    引戸、第１引戸
２２    引戸側ガイドレール
２４    可動ベース押下体
２５    戸尻側貫通孔
３０    引戸支持キャスター
４０    上部スライド機構
４１    上部スライダ
４５    上部ガイドレール
５０    支持ローラ
６０    下部スライド機構
６１    下部ガイドレール
６２    中間ガイドレール
７０    第２引戸
７２    引戸側ガイドレール
８１    第１滑車
８２    第２滑車
８３    ワイヤー
１００    引戸ユニット
２００    引戸ユニット
２１２    第１引出口
２３０    第２引戸支持キャスター
２４０    上部スライド機構
２４１    上部スライダ
２４５    上部ガイドレール
２５０    支持ローラ
２６０    下部スライド機構
２６１    下部ガイドレール
２６２    中間ガイドレール
Ｆ１    床面
Ｗ１    開口部
【図１】
2013108214.tif 000003
【図２】
2013108214.tif 000004
【図３】
2013108214.tif 000005
【図４】
2013108214.tif 000006
【図５】
2013108214.tif 000007
【図６】
2013108214.tif 000008
【図７】
2013108214.tif 000009
【図８】
2013108214.tif 000010
【図９】
2013108214.tif 000011
【図１０】
2013108214.tif 000012
【図１１】
2013108214.tif 000013
【図１２】
2013108214.tif 000014
【図１３】
2013108214.tif 000015
【図１４】
2013108214.tif 000016
【図１５】
2013108214.tif 000017
【図１６】
2013108214.tif 000018
【図１７】
2013108214.tif 000019
【図１８】
2013108214.tif 000020
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
建物内に起立状態にして設置される扁平箱形構造の引戸収納ボックスと、前記引戸収納ボックスのうち幅狭の一側面に形成されたメイン引出口を通して、前記引戸収納ボックスに収納可能な引戸とを備えて、前記引戸の戸先側端部以外の全体を前記引戸収納ボックス内に収納した収納完了位置と、前記引戸の戸尻側端部以外の全体を前記引戸収納ボックス外に引き出した引出完了位置との間で前記引戸をスライド操作可能とした引戸ユニットであって、
前記引戸収納ボックスの内側下部に設けられ、前記引戸収納ボックスのうち幅狭の側面と直交する方向に延びた下部ガイドレールと、前記引戸の下端部に設けられて前記下部ガイドレールと平行に延びた引戸側ガイドレールと、前記下部ガイドレールと前記引戸側ガイドレールとの間に設けられ、前記下部ガイドレール及び前記引戸側ガイドレールにスライド可能に係合した中間ガイドレールとからなる下部スライド機構と、
前記引戸収納ボックスの内側上部に設けられ、前記引戸収納ボックスのうち幅狭の側面と直交する方向に延びた上部ガイドレールと、前記引戸の戸尻側端部の上端部に取り付けられ、前記上部ガイドレールにスライド可能に係合した上部スライダとからなる上部スライド機構とを備え、
前記上部スライド機構によって前記引戸の戸尻側端部を吊り上げると共に、前記引戸の戸先側端部の下部に引戸支持キャスターを取り付けて建物の床面上で転動可能としたことを特徴とする引戸ユニット。
【請求項２】
前記引戸収納ボックスのうち前記メイン引出口と反対側の端部を建物に備えた固定対象物に回動可能に連結するメインヒンジと、
前記引戸収納ボックスのうち前記メイン引出口側の端部の下面壁に上下動可能に支持された可動ベースと、
前記可動ベースに取り付けられて、前記メインヒンジを中心として前記引戸収納ボックスが回動したときに前記建物の床面上で転動可能なボックス支持キャスターと、
前記可動ベースと前記引戸とに設けられ、前記引戸が前記収納完了位置からずれているときに、前記可動ベースの上方への移動を許容し、前記引戸が前記収納完了位置に移動したときに、前記可動ベースを可動範囲の下端位置に向けて押し下げ、前記ボックス支持キャスターを床面に当接させることで前記引戸支持キャスターを床面から上方に離間させた状態に保持するベース位置切替機構とを備えたことを特徴とする請求項１に記載の引戸ユニット。
【請求項３】
前記請求項１に記載の引戸ユニットの前記引戸収納ボックスに、前記請求項２に記載の引戸ユニットの前記引戸収納ボックスを前記メインヒンジにて回動可能に連結してなることを特徴とする引戸ユニットセット。
【請求項４】
前記引戸支持キャスターは、前記引戸のスライド方向と直交した回転軸を中心に回転可能としたことを特徴とする請求項１又は２に記載の引戸ユニット。
【請求項５】
前記引戸収納ボックス内のうち前記メイン引出口の両側部分に回転可能に支持され、前記引戸を厚さ方向で挟んだ状態で前記引戸のスライドに伴って回動する１対の支持ローラを備えたことを特徴とする請求項１，２又は４の何れか１の請求項に記載の引戸ユニット。
【請求項６】
前記引戸として、扁平箱形構造をなしかつ前記メイン引出口と同じ方向を向いた第１引出口を有する第１引戸を備えると共に、その第１引出口を通して、前記第１引戸の内部に収納可能な第２引戸を備え、
前記第２引戸の戸先側端部以外の全体を前記第１引戸の内部に収納した収納完了位置と、前記第２引戸の戸尻側端部以外の全体を前記第１引戸の外部に引き出した引出完了位置との間で前記第２引戸をスライド操作可能とし、前記第１引戸と前記第２引戸との間に前記上部スライド機構を設けると共に前記第２引戸の下部に第２引戸支持キャスターを取り付けて建物の床面上で転動可能としたことを特徴とする請求項１，２，４又は５の何れか１の請求項に記載の引戸ユニット。
【請求項７】
前記第２引戸支持キャスターは、前記第２引戸のスライド方向と直交した回転軸を中心に回転可能としたことを特徴とする請求項６に記載の引戸ユニット。
【請求項８】
前記第１引戸のうち戸尻側端部に配置され、前記第１引戸のスライド方向と直交した回転軸を中心に回転可能な第１滑車と、前記第１引戸のうち戸先側端部の内部に配置され、前記第１引戸のスライド方向と直交した回転軸を中心に回転可能な第２滑車と、
前記引戸収納ボックスの奥壁に一端部を固定されたワイヤーを、前記第１引戸の戸尻側端部に備えた戸尻側貫通孔を通して前記第２滑車で前記第１引戸の戸尻側に折り返してから前記第１滑車で前記第１引戸の戸先側にさらに折り返して、前記戸尻側貫通孔を通して前記引戸収納ボックスの前記メイン引出口側の端部内面に前記ワイヤーの他端部を固定し、さらに、前記ワイヤーのうち前記第１滑車と第２滑車との間部分を前記第２引戸の戸尻側の端部に固定したことにより、前記第１引戸と前記第２引戸とが連動しかつ同時に前記収納完了位置及び前記引出完了位置に到達するように構成したことを特徴とする請求項６又は７に記載の引戸ユニット。
【手続補正２】
【補正対象書類名】明細書
【補正対象項目名】全文
【補正方法】変更
【補正の内容】
【発明の詳細な説明】
【技術分野】
【０００１】
本発明は、引戸を有した引戸ユニット及引戸ユニットセットに関する。
【背景技術】
【０００２】
従来の引戸としては、引戸の上端部に備えた複数の上部スライダ（例えば、吊車）を建物天井面に固定された上部ガイドレールにスライド可能に係合させた上吊式の引戸が知られている（例えば、特許文献１参照）。
【先行技術文献】
【特許文献】
【０００３】
【特許文献１】特開２００８−６３７６４号公報（段落［００１８］、第１図）
【発明の概要】
【発明が解決しようとする課題】
【０００４】
ところが、上述した従来の引戸は、建物天井面に上部ガイドレールを設ける必要があり、設置作業に手間がかかるという問題があった。
【０００５】
本発明は、上記事情に鑑みてなされたものであって、従来よりも容易に引戸を設けることが可能な引戸ユニット及び引戸ユニットセットの提供を目的とする。
【課題を解決するための手段】
【０００６】
上記目的を達成するためになされた請求項１の発明に係る引戸ユニットは、建物内に起立状態にして設置される扁平箱形構造の引戸収納ボックスと、引戸収納ボックスのうち幅狭の一側面に形成されたメイン引出口を通して、引戸収納ボックスに収納可能な引戸とを備えて、引戸の戸先側端部以外の全体を引戸収納ボックス内に収納した収納完了位置と、引戸の戸尻側端部以外の全体を引戸収納ボックス外に引き出した引出完了位置との間で引戸をスライド操作可能とした引戸ユニットであって、引戸収納ボックスの内側下部に設けられ、引戸収納ボックスのうち幅狭の側面と直交する方向に延びた下部ガイドレールと、引戸の下端部に設けられて下部ガイドレールと平行に延びた引戸側ガイドレールと、下部ガイドレールと引戸側ガイドレールとの間に設けられ、下部ガイドレール及び引戸側ガイドレールにスライド可能に係合した中間ガイドレールとからなる下部スライド機構と、引戸収納ボックスの内側上部に設けられ、引戸収納ボックスのうち幅狭の側面と直交する方向に延びた上部ガイドレールと、引戸の戸尻側端部の上端部に取り付けられ、上部ガイドレールにスライド可能に係合した上部スライダとからなる上部スライド機構とを備え、上部スライド機構によって引戸の戸尻側端部を吊り上げると共に、引戸の戸先側端部の下部に引戸支持キャスターを取り付けて建物の床面上で転動可能としたところに特徴を有する。
【０００７】
請求項２の発明は、請求項１に記載の引戸ユニットにおいて、引戸収納ボックスのうちメイン引出口と反対側の端部を建物に備えた固定対象物に回動可能に連結するメインヒンジと、引戸収納ボックスのうちメイン引出口側の端部の下面壁に上下動可能に支持された可動ベースと、可動ベースに取り付けられて、メインヒンジを中心として引戸収納ボックスが回動したときに建物の床面上で転動可能なボックス支持キャスターと、可動ベースと引戸とに設けられ、引戸が収納完了位置からずれているときに、可動ベースの上方への移動を許容し、引戸が収納完了位置に移動したときに、可動ベースを可動範囲の下端位置に向けて押し下げ、ボックス支持キャスターを床面に当接させることで引戸支持キャスターを床面から上方に離間させた状態に保持するベース位置切替機構とを備えたところに特徴を有する。
【０００８】
請求項３の発明に係る引戸ユニットセットは、請求項１に記載の引戸ユニットの引戸収納ボックスに、請求項２に記載の引戸ユニットの引戸収納ボックスをメインヒンジにて回動可能に連結してなるところに特徴を有する。
【０００９】
請求項４の発明は、請求項１又は２に記載の引戸ユニットにおいて、引戸支持キャスターは、引戸のスライド方向と直交した回転軸を中心に回転可能としたところに特徴を有する。
【００１０】
請求項５の発明は、請求項１，２又は４の何れか１の請求項に記載の引戸ユニットにおいて、引戸収納ボックス内のうちメイン引出口の両側部分に回転可能に支持され、引戸を厚さ方向で挟んだ状態で引戸のスライドに伴って回動する１対の支持ローラを備えたところに特徴を有する。
【００１１】
請求項６の発明は、請求項１，２，４又は５の何れか１の請求項に記載の引戸ユニットにおいて、引戸として、扁平箱形構造をなしかつメイン引出口と同じ方向を向いた第１引出口を有する第１引戸を備えると共に、その第１引出口を通して、第１引戸の内部に収納可能な第２引戸を備え、第２引戸の戸先側端部以外の全体を第１引戸の内部に収納した収納完了位置と、第２引戸の戸尻側端部以外の全体を第１引戸の外部に引き出した引出完了位置との間で第２引戸をスライド操作可能とし、第１引戸と第２引戸との間に上部スライド機構を設けると共に第２引戸の下部に第２引戸支持キャスターを取り付けて建物の床面上で転動可能としたところに特徴を有する。
【００１２】
請求項７の発明は、請求項６に記載の引戸ユニットにおいて、第２引戸支持キャスターは、第２引戸のスライド方向と直交した回転軸を中心に回転可能としたところに特徴を有する。
【００１３】
請求項８の発明は、請求項６又は７に記載の引戸ユニットにおいて、第１引戸のうち戸尻側端部に配置され、第１引戸のスライド方向と直交した回転軸を中心に回転可能な第１滑車と、第１引戸のうち戸先側端部の内部に配置され、第１引戸のスライド方向と直交した回転軸を中心に回転可能な第２滑車と、引戸収納ボックスの奥壁に一端部を固定されたワイヤーを、第１引戸の戸尻側端部に備えた戸尻側貫通孔を通して第２滑車で第１引戸の戸尻側に折り返してから第１滑車で第１引戸の戸先側にさらに折り返して、戸尻側貫通孔を通して引戸収納ボックスのメイン引出口側の端部内面にワイヤーの他端部を固定し、さらに、ワイヤーのうち第１滑車と第２滑車との間部分を第２引戸の戸尻側の端部に固定したことにより、第１引戸と第２引戸とが連動しかつ同時に収納完了位置及び引出完了位置に到達するように構成したところに特徴を有する。
【発明の効果】
【００１４】
［請求項１の発明］
請求項１の発明によれば、引戸の戸先側端部の下部には引戸支持キャスターが設けられ、引戸のうち引戸支持キャスターと対角の位置である戸尻側端部の上端部には、上部ガイドレールにスライド可能に係合した上部スライダが設けられているから、これら引戸支持キャスターと上部スライダとによって引戸を安定してスライド移動させることが可能になる。そして、上部スライダは、引戸の戸尻側端部の上端部に設けられているから、上部スライダと係合する上部ガイドレールは、引戸収納ボックスの内側上部だけに設けておけばよい。即ち、本発明によれば、引戸収納ボックスを建物内の任意の場所に置くだけで、そこに引戸を設けることができ、建物天井面に上部ガイドレールを設ける手間が省けるから、従来よりも容易に引戸を設けることが可能になる。
【００１５】
また、本発明によれば、下部スライド機構を備えたことで、引戸の出し入れを、よりスムーズに行うことが可能になる。また、下部ガイドレールと引戸側ガイドレールとの間に中間ガイドレールが設けられ、引戸を引出完了位置にしたときに、中間ガイドレールの一端側の所定長さ分を下部ガイドレールに係合させ、他端側の所定長さ分を引戸側ガイドレールに係合させることができるから、引出完了位置における引戸の横振れをより確実に抑えることができ、安定性が向上する。
【００１６】
［請求項２の発明］
請求項２の発明によれば、建物に備えた固定対象物に引戸収納ボックスをメインヒンジによって回動可能に連結すると、引戸収納ボックス自体が「開き戸」となって開口部の一部を引戸収納ボックスで開閉することが可能となり、開口部の残りを引戸収納ボックスから引き出し可能な引戸によって開閉することが可能になる。
【００１７】
また、引戸が収納完了位置に位置するときに、可動ベースがベース位置切替機構によって押し下げられてボックス支持キャスターが床面に押し付けられ、この状態で引戸収納ボックスを回動操作すると、ボックス支持キャスターが床面を転動するので、引戸収納ボックスの回動操作を比較的容易に行うことができる。しかも、このとき引戸支持キャスターは床面から離間しているから、引戸収納ボックスの回動操作時に、引戸支持キャスターが床面と擦れて回動の妨げとなることを防止することができる。
【００１８】
［請求項３の発明］
請求項３の発明によれば、請求項１に記載の引戸ユニットに対して請求項２に記載の引戸ユニットを回動させることが可能になる。
【００１９】
［請求項４の発明］
請求項４の発明によれば、引戸支持キャスターの転動方向は、上部スライド機構が案内するスライド方向と一致するので引戸の直進性が向上し、引戸をより安定してスライド移動させることが可能になる。
【００２０】
［請求項５の発明］
請求項５の発明によれば、引戸を厚さ方向で挟んだ状態で引戸のスライドに伴って回動する１対の支持ローラを備えたので、引戸の横振れを防止してスムーズに出し入れすることができる。
【００２１】
［請求項６の発明］
請求項６の発明によれば、引戸としての第１引戸から、その第１引戸と同じスライド方向に第２引戸を引き出すことが可能であるから、より幅広な開口部の開閉を行うことが可能になる。
【００２２】
［請求項７の発明］
請求項７の発明によれば、第２引戸支持キャスターの転動方向は、第１引戸と第２引戸との間に設けられた上部スライド機構が案内するスライド方向と一致するので、第２引戸をより安定してスライド移動させることが可能になる。
【００２３】
［請求項８の発明］
請求項８の発明によれば、引戸収納ボックスに対する第１引戸のスライドに連動して、第２引戸が第１引戸に対して第１引戸と同一方向に同一距離だけスライドして、収納完了位置及び引出完了位置に同時に到達する。従って、第１引戸をスライド操作した場合に、は、第２引戸をスライド操作した場合の半分の操作量で、第１引戸及び第２引戸を引出完了位置と収納完了位置との間でスライド移動させることが可能となる。
【図面の簡単な説明】
【００２４】
【図１】本発明の第１実施形態に係る引戸ユニットの斜視図
【図２】引戸を収納完了位置にした状態の引戸ユニットの正面図
【図３】引戸を引出完了位置にした状態の引戸ユニットの正面図
【図４】引戸ユニットにおける引戸収納ボックスの側断面図
【図５】上部スライド機構の部分断面図
【図６】（Ａ）収納完了位置のときの下部スライド機構の斜視図、（Ｂ）収納完了位置からずらされたときの下部スライド機構の斜視図
【図７】引出完了位置のときの下部スライド機構の斜視図
【図８】（Ａ）引出完了位置にした引戸ユニットの平面図、（Ｂ）収納完了位置にした引戸ユニットの平面図、（Ｃ）引戸収納ボックスを回動させた状態の引戸ユニットの平面図
【図９】引戸が収納完了位置からずれているときの引戸ユニットの下端部の部分断面図
【図１０】引戸を収納完了位置にして引戸収納ボックスを回動操作したときの引戸ユニットの下端部の部分断面図
【図１１】第２実施形態に係る引戸ユニットの斜視図
【図１２】引戸ユニットを戸先側から見た側面図
【図１３】引戸ユニットの部分断面図
【図１４】下部スライド機構を戸尻側から見た側断面図
【図１５】引戸連動機構の概念図
【図１６】引戸を収納完了位置にしたときの引戸連動機構のスケルトンモデル
【図１７】引戸が収納完了位置と引出完了位置との中間に位置したときの引戸連動機構のスケルトンモデル
【図１８】引戸を引出完了位置にしたときの引戸連動機構のスケルトンモデル
【発明を実施するための形態】
【００２５】
［第１実施形態］
以下、本発明に係る引戸ユニット１００の第１実施形態を図１〜図１０に基づいて説明する。図１に示すように引戸ユニット１００は、引戸２０と、その引戸２０を収納可能な引戸収納ボックス１０とを備えている。引戸収納ボックス１０は、扁平箱形構造をなしており、建物内に起立状態にして設置可能となっている。なお、本実施形態の引戸収納ボックス１０は、長板をコの字形に連結してなる枠体を、矩形状をなした１対のパネル材で挟んで接合した構造であるが、引戸収納ボックスの材質や組み立て構造は特に限定するものでない。
【００２６】
引戸収納ボックス１０の内部には、扁平矩形状のボックス内空間１１（図２参照）が形成されており、引戸収納ボックス１０のうち、幅狭の一側面１０Ａには、ボックス内空間１１を側方に開放した縦長のメイン引出口１２が形成されている。このメイン引出口１２を通して引戸２０を引戸収納ボックス１０内に収納及び引き出すことが可能となっている。以下、説明の便宜のため、引戸収納ボックス１０のメイン引出口１２が開放した方を「前方」といい、その反対側を「後方」といい、引戸収納ボックス１０における幅狭の一側面１０Ａと直交する方向を「前後方向」という。
【００２７】
図１に示すように、引戸２０は扁平矩形状をなしており、例えば、１枚のパネル材或いは、複数枚のパネル材を重ねて構成されている。引戸２０は、図２に示すように、戸先側端部以外の全体を引戸収納ボックス１０内に収納した収納完了位置と、図３に示すように、戸尻側端部以外の全体を引戸収納ボックス１０の外に引き出した引出完了位置との間でスライド移動可能となっている。引戸２０は、戸尻側端部が引戸収納ボックス１０の後端壁１３に備えた図示しない戸当たりに当接することで収納完了位置に位置決めされ、引戸２０と引戸収納ボックス１０との間に設けられた図示しない引抜規制部により、引出完了位置に位置決めされる。また、収納完了位置にしたときの引戸２０の引き残し部分（戸先側端部）の両面には、引戸２０をスライド操作する際に手を掛けるための引き手２１，２１が設けられている（図１〜図３には、一方の引き手２１のみが図示されている）。なお、本実施形態の引き手２１は堀込み形であるが、所謂、「バーハンドル」でもよい。
【００２８】
図３に示すように、引戸２０のうち、戸先側端部の下部には引戸支持キャスター３０が設けられている。引戸支持キャスター３０は、引戸２０の下端面から突出しており、引戸収納ボックス１０が設置された建物の床面Ｆ１上で転動可能となっている。引戸支持キャスター３０は、床面Ｆ１を転動する転動体として、トレッド面が平坦な車輪３０Ｒを備えており、その車輪３０Ｒは、引戸２０の厚さ方向と平行な（引戸２０のスライド方向と直交した）回転軸で回転可能となっている（図４参照）。即ち、引戸支持キャスター３０の転動方向は、次述する上部スライド機構４０が案内する引戸２０のスライド方向と一致するように構成されている。
【００２９】
図２に示すように、引戸２０のうち、引戸支持キャスター３０に対して対角の位置、即ち、引戸２０の戸尻側端部の上端部には、上部スライダ４１が取り付けられている。上部スライダ４１は、吊り車（より詳細には、四輪の複車）である。即ち、上部スライダ４１は、図５に示すように、スライド方向の前後に間隔を開けて２つずつ、合計４つの走行輪４３，４３をスライダ本体４２の両側面に備え、そのスライダ本体４２から垂下した連結軸４４の下端部が引戸２０の上端部に固定されている。
【００３０】
この上部スライダ４１を介して引戸２０の戸尻側端部をスライド可能に吊り上げるために、引戸収納ボックス１０には上部ガイドレール４５が備えられている。上部ガイドレール４５は、引戸収納ボックス１０の内側（ボックス内空間１１）の上端面１１Ａに固定され、引戸収納ボックス１０の前後方向に延びている。上部ガイドレール４５は、引戸２０が収納完了位置と引出完了位置との間で移動したときの上部スライダ４１の移動範囲に合わせて設けられており、上部スライダ４１の移動範囲の全域で上部スライダ４１とのスライド係合が維持されるように構成されている。上部ガイドレール４５は、その長手方向と直交する水平方向で隙間を空けて平行配置された１対のレール溝部４６，４６を有し、それら１対のレール溝部４６，４６の上面を、上部スライダ４１の両側面に備えた各走行輪４３，４３が走行可能となっている。そして、上部スライダ４１と上部ガイドレール４５とによって上部スライド機構４０が構成されている。
【００３１】
上記したように、上部スライダ４１と引戸支持キャスター３０は、引戸２０の対角の位置に配置されているので、これらだけでも安定して引戸２０をスライド移動させることが可能であるが、より安定性を高めるために、引戸収納ボックス１０内には、引戸２０を厚さ方向で挟んだ１対の支持ローラ５０，５０が備えられている。１対の支持ローラ５０，５０は、引戸２０が引出完了位置まで引き出された状態（図３に示す状態）でも、引戸収納ボックス１０内に残された引戸２０の戸尻側端部を挟むことが可能な位置に配置されている。具体的には、メイン引出口１２の両側部分でかつ、上下方向の中間部より上側に配置されている。これら支持ローラ５０，５０は、ボックス内空間１１で鉛直方向に延びた支持シャフト５１，５１に回転可能に軸支されている。支持シャフト５１は、その上端部のみが引戸収納ボックス１０に固定された片持ち構造となっており、支持シャフト５１の下端部に備えた鍔部５２で支持ローラ５０を抜け止めしている。また。支持ローラ５０は、軸方向（上下方向）の両端部から中間部に向かうに従って拡径した紡錘形をなしている。そして、引戸２０が引戸収納ボックス１０に出し入れされるときに、引戸２０のスライドに連動してこれら１対の支持ローラ５０，５０が回転するように構成されている。これら１対の支持ローラ５０，５０によって引戸２０の横揺れを抑えることができ、引戸２０をスムーズに出し入れすることができる。
【００３２】
引戸収納ボックス１０と引戸２０との間には、上記した上部スライド機構４０と協働して引戸２０のスライド移動をガイドする下部スライド機構６０が備えられている。図６に示すように、下部スライド機構６０は、ボックス内空間１１の下端面に固定された下部ガイドレール６１と、引戸２０の下端面に設けられた引戸側ガイドレール２２と、それら下部ガイドレール６１と引戸側ガイドレール２２との双方にスライド可能に係合した中間ガイドレール６２とから構成されている。
【００３３】
下部ガイドレール６１は、上部ガイドレール４５と同様に引戸収納ボックス１０の前後方向に延びている。図６（Ｂ）に示すように、下部ガイドレール６１は、例えば、断面矩形の角パイプ構造をなしており、その幅方向の一側面に側面長孔６１Ａが貫通形成されている。側面長孔６１Ａは、下部ガイドレール６１の戸尻側の端部から軸方向の中間部まで連続して延びている。
【００３４】
中間ガイドレール６２は、例えば、断面門形（下方に開放したコの字形）をなしており、その内側に下部ガイドレール６１をスライド可能に受容している。中間ガイドレール６２の戸尻側端部にはスライドピン６２Ｐが設けられ、これが下部ガイドレール６１の側面長孔６１Ａ内にスライド可能に挿入されている。また、中間ガイドレール６２の上面には上面長孔６２Ａが貫通形成されている。上面長孔６２Ａは、戸尻側の端部から軸方向の中間部まで連続して延びている。なお、下部ガイドレール６１及び中間ガイドレール６２は共に金属製であって、例えば、アルミ型材で構成されている。
【００３５】
引戸側ガイドレール２２は、引戸２０の下端面における幅方向の中央部をコの字形に陥没させた下面開放の溝形構造をなしている。引戸側ガイドレール２２は、引戸２０の戸尻側の端面から戸先側に向かって延びており、その内側に中間ガイドレール６２がスライド可能に受容されている。引戸側ガイドレール２２における戸尻側の端部上面からは、スライドピン２２Ｐ（図６（Ａ）参照）が垂下しており、これが中間ガイドレール６２の上面長孔６２Ａ内にスライド可能に挿入されている。
【００３６】
引戸２０を収納完了位置（図６（Ａ）に示す位置）から引き出した場合、途中までは、引戸２０のみが単独でスライドする。この間、引戸２０に備えたスライドピン２２Ｐが中間ガイドレール６２の上面長孔６２Ａ内を移動する。引戸２０が約半分程引き出されると、スライドピン２２Ｐが上面長孔６２Ａの戸先側端部に当接する。これより先は、引戸２０と中間ガイドレール６２とが一体にスライドし、中間ガイドレール６２が下部ガイドレール６１に対してスライドする（図６（Ｂ）に示す状態）。この間、中間ガイドレール６２に備えたスライドピン６２Ｐが下部ガイドレール６１の側面長孔６１Ａ内を移動する。そして、スライドピン６２Ｐが側面長孔６１Ａの戸先側端部に当接すると、それ以上のスライドが禁止されて引戸２０は、図７に示す引出完了位置になる。この引出完了位置において、下部ガイドレール６１には、中間ガイドレール６２の全長の約半分が係合し、中間ガイドレール６２の残り約半分が下部ガイドレール６１よりも前方に延びた状態となる。そして、下部ガイドレール６１より前方に延びた中間ガイドレール６２の残り約半分が、引戸側ガイドレール２２と係合した状態になる。つまり、中間ガイドレール６２が、下部ガイドレール６１と引戸側ガイドレール２２との双方にそれぞれ全長の約半分ずつ係合した状態になるから、引出完了位置にしたときの引戸２０の横振れをより確実に抑えることができ、安定性が向上する。
【００３７】
なお、引出完了位置から収納完了位置に向けて引戸２０を移動させた場合の下部スライド機構６０の動作も、上記した動作と同様であり、途中までは引戸２０のみが単独でスライドし、途中から収納完了位置に至るまで引戸２０と中間ガイドレール６２とが一体になってスライドする。
【００３８】
さて、本実施形態の引戸ユニット１００は、単に引戸としてだけでなく、「開き戸」としても使用可能である。即ち、引戸収納ボックス１０のうち、メイン引出口１２とは反対の後端部には、複数のメインヒンジ１９，１９が取り付けられている。これらメインヒンジ１９，１９は、建物に備えた固定対象物、具体的には、建物の壁体に形成された開口部Ｗ１の一側縁部に固定されて、引戸収納ボックス１０を開口部Ｗ１に対して回動可能に連結している。
【００３９】
つまり、本実施形態の引戸ユニット１００は、図８（Ａ）から同図（Ｃ）への変化に示すように、引戸収納ボックス１０自体が「開き戸」となって開口部Ｗ１の一側縁部側を開閉することが可能であり、開口部Ｗ１の残りを引戸収納ボックス１０から引き出すことが可能な引戸２０によって開閉することが可能になっている。これにより、開口部Ｗ１の開口幅を必要に応じて全閉、半開、全開の３段階に調節することが可能になる。
【００４０】
ここで、本実施形態のメインヒンジ１９，１９は、「グレビティヒンジ」と称されるものであって、その回動方向の一端から他端（例えば、図８（Ｂ）に示す位置から同図（Ｃ）に示す位置）に向けて引戸収納ボックス１０を回動させる過程で、カム機構によって引戸収納ボックス１０を徐々に上に移動させて床面Ｆ１から離間させることが可能となっている。
【００４１】
さらに、本実施形態の引戸ユニット１００は、引戸収納ボックス１０をメインヒンジ１９，１９を中心にして回動操作する際の操作性を向上させるために、以下のような回動アシスト機構を備えている。即ち、図９に示すように、引戸収納ボックス１０のうち、メイン引出口１２に近い前端部近傍には、引戸収納ボックス１０の下面壁１４を貫通したキャスター出没孔１４Ａが設けられている。キャスター出没孔１４Ａは、引戸収納ボックス１０の下面（床面Ｆ１に対する設置面）に開放すると共に、ボックス内空間１１に連通している。
【００４２】
そのキャスター出没孔１４Ａの内側には可動ベース１５が備えられている。可動ベース１５は、例えば、ヒンジ１５Ｈを介して下面壁１４に支持されており、キャスター出没孔１４Ａ内で上下動可能となっている。可動ベース１５は、メイン引出口１２から奥側に向かって上り傾斜となった干渉突部１５Ｔを備えており、図９に示すように、引戸２０が収納完了位置からずれているときには、干渉突部１５Ｔが引戸２０の引戸側ガイドレール２２内に突出するように構成されている。
【００４３】
可動ベース１５のうち干渉突部１５Ｔとは反対側には、ボックス支持キャスター１６が取り付けられている。ボックス支持キャスター１６は、転動体としてボール１６Ｂを備えたボールキャスターであり、そのボール１６Ｂが、引戸収納ボックス１０を設置した床面Ｆ１に当接可能となっている。
【００４４】
一方、引戸２０の下端部のうち、引戸２０が収納完了位置に位置したときの干渉突部１５Ｔの直上位置、具体的には、引戸支持キャスター３０よりも少し戸尻側の位置には、可動ベース押下体２４とその可動ベース押下体２４を収納した下面開放の押下体収納部２３とが備えられている。
【００４５】
押下体収納部２３は、引戸２０の下端部に形成された引戸側ガイドレール２２の前端部よりも戸先側に形成されて引戸側ガイドレール２２と連続している。可動ベース押下体２４は、押下体収納部２３の上面に固定された支持金具２４Ａでローラ２４Ｒを軸支した構成となっており、ローラ２４Ｒは、引戸２０のスライド方向と直交した回転軸を中心にして回転可能となっている。
【００４６】
図９に示すように、引戸２０が収納完了位置からずれているとき、可動ベース押下体２４のローラ２４Ｒと、可動ベース１５の干渉突部１５Ｔとが離間しており、可動ベース１５は上方への移動を許容される。即ち、引戸収納ボックス１０の下面全体が床面Ｆ１に接するので、その床面Ｆ１に押されて可動ベース１５のボックス支持キャスター１６がキャスター出没孔１４Ａ内に没入し、干渉突部１５Ｔが引戸２０の引戸側ガイドレール２２内に突出する。
【００４７】
これに対し、図１０に示すように、引戸２０がスライドして収納完了位置になると、可動ベース押下体２４のローラ２４Ｒが可動ベース１５の干渉突部１５Ｔに乗り上げて、ボックス支持キャスター１６を床面Ｆ１に押し付けると共に、引戸２０の戸先側端部に備えた引戸支持キャスター３０（車輪３０Ｒ）が床面Ｆ１から僅かに離間する。
【００４８】
そして、この状態でメインヒンジ１９，１９を中心にして引戸収納ボックス１０の回動操作（例えば、図８（Ｂ）に示す位置から同図（Ｃ）に示す位置への回動操作）を行うと、メインヒンジ１９，１９であるグレビティヒンジの作用によって、図１０に示すように、引戸収納ボックス１０の全体が上方にせり上がって床面Ｆ１から離間する一方、引戸２０の自重で下方に押されたボックス支持キャスター１６が引戸収納ボックス１０の下面から突出して床面Ｆ１上を転動するので、引戸収納ボックス１０を容易に回動操作することができる。ここで、干渉突部１５Ｔと可動ベース押下体２４とが本発明の「ベース位置切替機構」に相当する。
【００４９】
このように、本実施形態によれば、引戸２０の戸先側端部の下部には引戸支持キャスター３０が設けられ、引戸２０のうち引戸支持キャスター３０と対角の位置である戸尻側端部の上端部には、上部ガイドレール４５にスライド可能に係合した上部スライダ４１が設けられているから、これら引戸支持キャスター３０と上部スライダ４１とによって引戸２０を安定してスライド移動させることができる。そして、上部スライダ４１は、引戸２０の戸尻側端部の上端部に設けられているから、上部スライダ４１と係合する上部ガイドレール４５は、引戸収納ボックス１０の内側上部（ボックス内空間１１の上端面１１Ａ）だけに設けておけばよい。即ち、本発明によれば、引戸収納ボックス１０を建物内の任意の場所に置くだけで、そこに引戸２０を設けることができ、建物天井面に上部ガイドレールを設ける手間が省けるから、従来よりも容易に引戸２０を設けることが可能になる。
【００５０】
また、引戸２０に備えた引戸支持キャスター３０（車輪３０Ｒ）の転動方向が、上部スライド機構４０が案内する引戸２０のスライド方向と一致するように構成されているから、そのスライド方向への引戸２０の直進性が向上し、引戸２０をより安定してスライド移動させることができる。
【００５１】
また、本実施形態の引戸ユニット１００は、引戸収納ボックス１０をメインヒンジ１９，１９を中心にして回動可能な「開き戸」としても使用することができる。そして、引戸２０を収納完了位置にして引戸収納ボックス１０をメインヒンジ１９，１９を中心にして回動操作すると、引戸収納ボックス１０に備えたボックス支持キャスター１６が引戸２０の自重で床面Ｆ１に押し付けられて床面Ｆ１を転動するから、引戸収納ボックス１０の回動操作を比較的容易に行うことができる。また、引戸支持キャスター３０の車輪３０Ｒは、メインヒンジ１９，１９を中心とした引戸収納ボックス１０の回動方向に転動不可能であるが、引戸２０を収納完了位置にすると、引戸支持キャスター３０の車輪３０Ｒは床面Ｆ１から離間するから、引戸収納ボックス１０の回動操作時に、引戸支持キャスター３０が床面Ｆ１と擦れて回動の妨げになったり、引戸支持キャスター３０が破損することを防止することができる。
【００５２】
また、本実施形態によれば、引戸２０は、戸尻側端部の上端に備えた上部スライダ４１と戸先側端部の下端に備えた引戸支持キャスター３０のみで支持されているから、引戸２０を戸先側に傾けた前下がり姿勢や、戸尻側に傾けた前上がり姿勢にすることが可能である。従って、引戸２０のスライド方向で床面Ｆ１に多少の起伏があったとしても、その起伏を引戸２０の傾きで吸収することができ、安定してスライドさせることが可能となる。
【００５３】
［第２実施形態］
本発明の第２実施形態は図１１〜図１８に示されており、引戸を２枚備えている点、メインヒンジ１９，１９を備えていない点が主として異なる。以下、第１実施形態との共通部分の説明は同一符号を付して省略し、第１実施形態との相違点のみを説明する。
【００５４】
図１１に示すように、本実施形態の引戸ユニット２００は、第１引戸２０と第２引戸７０とを備えている。第１引戸２０は、床面Ｆ１上に自立設置可能な引戸収納ボックス１０のメイン引出口１２を通して引戸収納ボックス１０内（ボックス内空間１１）に収納可能となっている。第１引戸２０は、戸先側端部以外の全体を引戸収納ボックス１０内に収納した収納完了位置と（図１６参照）、戸尻側端部以外の全体を引戸収納ボックス１０から外側に引き出した引出完了位置（図１８参照）との間でスライド移動可能となっている。
【００５５】
第１引戸２０は、引戸収納ボックス１０を一回り小さくしたような扁平箱形構造をなしている。具体的には、例えば、長板をコの字形に連結してなる枠体を、矩形状をなした１対のパネル材で挟んで接合した構造となっているが、第１引戸２０の材質や組み立て構造は、特に限定するものではない。
【００５６】
第１引戸２０の内部には、扁平矩形状の引戸内空間２１１（図１３参照）が形成されており、第１引戸２０の幅狭の一側面２１０Ａには、メイン引出口１２と同じ方向を向いた縦長の第１引出口２１２が形成されている（図１１参照）。この第１引出口２１２を通して第２引戸７０を第１引戸２０内に収納及び引き出すことが可能となっている。
【００５７】
第２引戸７０は、扁平矩形状をなしており、例えば、１枚のパネル材或いは、複数枚のパネル材を重ねて構成されている。第２引戸７０は、その戸先側端部以外の全体を第１引戸２０内に収納した収納完了位置（図１６参照）と、戸尻側端部以外の全体を第１引戸２０から外側に引き出した引出完了位置（図１８参照）との間でスライド移動可能となっている。なお、収納完了位置にしたときの第２引戸７０の引き残し部分（戸先側端部）の両面には、第２引戸７０を操作する際に手を掛けるための引き手７１，７１が設けられている（図１１及び図１３には、一方の引き手７１のみが図示されている）。なお、本実施形態の引き手７１は堀込み形であるが、所謂、「バーハンドル」でもよい。
【００５８】
引戸収納ボックス１０と第１引戸２０との間には、上記第１実施形態の引戸ユニット１００に備えられたものと同様な上部スライド機構４０（図１３参照）、下部スライド機構６０（図１４参照）及び１対の支持ローラ５０，５０（図１２参照）が備えられている。詳細には、下部スライド機構６０が、第１引戸２０の厚さ方向の一方に片寄って配置され、引戸側ガイドレール２２が第１引戸２０の下面と一側面とに開放している点を除けば、上記第１実施形態の引戸ユニット１００に備えられたものと同一の構成である。なお、引戸側ガイドレール２２の側面の開放部分を図示しないカバー体で覆ってもよい。
【００５９】
第１引戸２０の戸先側端部の下部には、上記第１実施形態の引戸ユニット１００に備えられたものと同一の引戸支持キャスター３０，３０が、第１引戸２０の厚さ方向で対をなして設けられている。
【００６０】
第１引戸２０と第２引戸７０との間には、上記第１実施形態の引戸ユニット１００に備えられたものと同一の上部スライド機構２４０（図１３参照）、下部スライド機構２６０（図１４参照）及び１対の支持ローラ２５０，２５０（図１２参照）が備えられている。
【００６１】
第２引戸７０の戸先側端部の下部には、転動体として車輪２３０Ｒを備えた第２引戸支持キャスター２３０が取り付けられている。第２引戸支持キャスター２３０は、第２引戸７０の下端面から突出しており、引戸収納ボックス１０が設置された建物の床面Ｆ１を転動可能となっている。第２引戸支持キャスター２３０は、第１引戸２０に備えた引戸支持キャスター３０と同一構造であり、車輪２３０Ｒが第２引戸７０の厚さ方向と平行な（第２引戸７０のスライド方向と直交した）回転軸で回転可能となっている。即ち、第２引戸支持キャスター２３０の転動方向は、次述する上部スライド機構２４０が案内する第２引戸７０のスライド方向と一致するように構成されている。
【００６２】
上部スライド機構２４０は、第２引戸７０の戸尻側端部をスライド可能に吊り上げている。図１３に示すように、上部スライド機構２４０は、上部スライダ２４１と、その上部スライダ２４１がスライド可能に係合した上部ガイドレール２４５とから構成されている。上部スライダ２４１は、第２引戸７０のうち、第２引戸支持キャスター２３０に対して対角の位置である戸尻側端部の上端部に設けられている。これに対し、上部ガイドレール２４５は、第１引戸２０内の引戸内空間２１１内の上端面２１１Ａ（図１２及び図１３参照）に固定され、第１引戸２０の前後方向に延びている。
【００６３】
第１引戸２０内には、第２引戸７０を厚さ方向で挟んだ１対の支持ローラ２５０，２５０が備えられている（図１２参照）。１対の支持ローラ２５０，２５０は、第２引戸７０が引出完了位置まで引き出されたときでも、第１引戸２０内に残された第２引戸７０の戸尻側端部を挟むことが可能な位置、詳細には、第１引出口２１２の両側部分でかつ、上下方向の中間部より上側に配置されている。そして、第２引戸７０が第１引戸２０内に出し入れされるときに、第２引戸７０のスライドに連動してこれら１対の支持ローラ２５０，２５０が回転する。なお、図示しないが、第２引戸７０を支持する支持ローラ２５０は、支持ローラ５０と同様に、引戸内空間２１１で鉛直方向に延びた片持ちの支持シャフトに回動可能に軸支されている。
【００６４】
第１引戸２０と第２引戸７０との間に設けられた下部スライド機構２６０は、図１４に示すように、第１引戸２０の引戸内空間２１１の下端面に設けられた下部ガイドレール２６１と、第２引戸７０の下端面に設けられた引戸側ガイドレール７２と、それら下部ガイドレール２６１と引戸側ガイドレール７２との双方にスライド可能に係合した中間ガイドレール２６２とから構成されている。この下部スライド機構２６０と、前記した１対の支持ローラ２５０，２５０とにより、第２引戸７０の横振れが抑えられて安定性が向上し、第２引戸７０を第１引戸１０に対してスムーズに出し入れすることが可能になる。
【００６５】
さて、本実施形態の引戸ユニット２００には、第１引戸２０のスライド移動と第２引戸７０のスライド移動とを連動させる引戸連動機構が備えられている。引戸連動機構は、後述するようにワイヤー８３と複数の滑車８１，８２とを有し、引戸収納ボックス１０に対する第１引戸２０のスライドに連動して、第２引戸７０が第１引戸２０に対して第１引戸２０と同一方向に同一距離だけ移動して、第１引戸２０と第２引戸７０とが収納完了位置及び引出完了位置に同時に到達するようにしたものである。
【００６６】
具体的には、図１５及び図１６に示すように、第１引戸２０のうち戸尻側端部には第１滑車８１が設けられ、戸先側端部の内部には第２滑車８２が設けられている。第１滑車８１は、鉛直方向を向いた回転軸８１Ｊを中心に回転可能となっており、第２滑車８２はスライド方向と直交した水平方向を向いた回転軸８２Ｊを中心に回転可能となっている。なお、図１６〜図１８では、説明の便宜のため、第１滑車８１の回転軸８１Ｊを水平にして示してある。
【００６７】
ワイヤー８３の一端部は引戸収納ボックス１０の後端壁１３内面に固定されており、第１引戸２０の戸尻側端部に備えた戸尻側貫通孔２５を通して第１引戸２０の戸先側に向かって延び、第２滑車８２で第１引戸２０の戸尻側に折り返してから第１滑車８１で第１引戸２０の戸先側にさらに折り返して、第１引戸２０の戸尻側貫通孔２５を通して引戸収納ボックス１０の前端壁１８内面にワイヤー８３の他端部が固定されている。なお、ワイヤー８３の一端部はスプリング（図示せず）を内蔵した取付金具８４を介して引戸収納ボックス１０に固定されており、スプリングによってワイヤー８３が常に張った状態になるように構成されている。そして、ワイヤー８３のうち第１滑車８１と第２滑車８２との間で延びた部分に、第２引戸７０の戸尻側端部がワイヤー挟持具８５を介して固定されている。
【００６８】
引戸ユニット２００の構成は以上であって、次に引戸ユニット２００の動作を説明する。図１６に示すように、第１引戸２０及び第２引戸７０が収納完了位置に位置する場合に、第１引戸２０を引き出すと、第１滑車８１及び第２滑車８２とが引戸収納ボックス１０に対して前方に移動するので、第１滑車８１と第２滑車８２との間でワイヤー８３は、第１引戸２０の収納完了位置からの移動距離と同じ距離だけ第１引戸２０の戸先側に向かって移動する。従って、図１６から図１７への変化に示すように、ワイヤー８３のうち第１滑車８１と第２滑車８２との間部分に連結された第２引戸７０も、第１引戸２０の移動距離と同じ距離だけ収納完了位置から移動する。そして、図１８に示すように、第１引戸２０が引出完了位置に到達するのと同時に、第２引戸７０が引出完了位置に到達する。
【００６９】
図１６に示すように、第１引戸２０及び第２引戸７０が収納完了位置に位置する場合に、第２引戸７０を引き出すと、ワイヤー挟持具８５が第１引戸２０の戸先側に移動するので、第１滑車８１と第２滑車８２との間でワイヤー８３は、第２引戸７０の収納完了位置からの移動距離と同じ距離だけ第１引戸２０の戸先側に移動する。すると、図１６から図１７への変化に示すように、第１引戸２０の戸尻側の第１滑車８１が引っ張られて第１引戸２０が収納完了位置から引き出され、第１引戸２０に対する第２引戸７０の移動距離と同じ距離だけ第１引戸２０が引戸収納ボックス１０に対して移動する。そして、図１８に示すように、第２引戸７０が引出完了位置に到達するのと同時に、第１引戸２０が引出完了位置に到達する。
【００７０】
ここで、第１引戸２０を操作した場合と、第２引戸７０を操作した場合とを比べると、第１引戸２０を操作した場合には、第２引戸７０を操作した場合の半分の操作量で、第１引戸２０及び第２引戸７０を引出完了位置まで移動させることができる。
【００７１】
図１８に示すように、第１引戸２０及び第２引戸７０が引出完了位置に位置する場合に、第１引戸２０を引戸収納ボックス１０側に移動させると、第１滑車８１及び第２滑車８２が引戸収納ボックス１０側に移動するので、それら第１滑車８１と第２滑車８２との間でワイヤー８３は、第１引戸２０の引出完了位置からの移動距離と同じ距離だけ、第１引戸２０の戸尻側に向かって移動する。従って、図１８から図１７への変化に示すように、ワイヤー８３のうち第１滑車８１と第２滑車８２との間部分に連結された第２引戸７０も、第１引戸２０の移動距離と同じ距離だけ引出完了位置から移動する。そして、図１６に示すように、第１引戸２０が収納完了位置に到達するのと同時に、第２引戸７０が収納完了位置に到達する。
【００７２】
図１８に示すように、第１引戸２０及び第２引戸７０が引出収完了位置に位置する場合に、第２引戸７０を引戸収納ボックス１０側に移動させると、ワイヤー挟持具８５が第１引戸２０の戸尻側に移動するので、第１滑車８１と第２滑車８２との間でワイヤー８３は、第２引戸７０の引出完了位置からの移動距離と同じ距離だけ第１引戸２０の戸尻側に移動する。すると、図１８から図１７への変化に示すように、第１引戸２０の戸先側の第２滑車８２が引っ張られて第１引戸２０が引戸収納ボックス１０側に引き込まれ、第２引戸７０の移動距離と同じ距離だけ第１引戸２０が引出完了位置から移動する。そして、図１６に示すように、第２引戸７０が引出完了位置に到達するのと同時に、第１引戸２０が引出完了位置に到達する。
【００７３】
ここで、第１引戸２０を操作した場合と、第２引戸７０を操作した場合とを比べると、第１引戸２０を操作した場合には、第２引戸７０を操作した場合の半分の操作量で、第１引戸２０及び第２引戸７０を収納完了位置まで移動させることができる。
【００７４】
このように本実施形態によれば、上記第１実施形態と同様に、従来よりも容易に第１引戸２０及び第２引戸７０を設けることが可能になると共に、以下のような効果を奏する。即ち、第１引戸２０から、その第１引戸２０と同じスライド方向に第２引戸７０を引き出すことが可能なので、より幅広な開口部Ｗ１を開閉することが可能になる。また、第２引戸支持キャスター２３０（車輪２３０Ｒ）の転動方向は、上部スライド機構２４０が案内する第２引戸７０のスライド方向と一致するので、そのスライド方向への第２引戸７０の直進性が向上し、第２引戸７０をより安定してスライド移動させることが可能になる。さらに、引戸収納ボックス１０に対する第１引戸２０のスライド移動に連動して、第２引戸７０が第１引戸２０に対して第１引戸２０と同一方向に同一距離だけスライド移動して、収納完了位置及び引出完了位置に同時に到達するから、第１引戸２０を操作した場合には、第２引戸７０を操作した場合の半分の操作量で、第１引戸２０及び第２引戸７０を収納完了位置と引出完了位置との間で移動させることができる。即ち、第１引戸２０をスライド操作することで開口部Ｗ１の開閉を速やかに行うことが可能になる。
【００７５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７６】
（１）上記第１実施形態では、引戸ユニット１００を、建物に備えた固定対象物に回動可能に連結していたが、上記第１実施形態の引戸ユニット１００の引戸収納ボックス１０に、上記第２実施形態の引戸ユニット２００の引戸収納ボックス１０をメインヒンジ１９，１９によって回動可能に連結してもよい（本発明の「引戸ユニットセット」に相当する）。
【００７７】
（２）上記第１及び第２実施形態では、引戸支持キャスター３０が転動体として車輪３０Ｒを備えていたが、転動体としてボールを備えていてもよい。
【００７８】
（３）上記第１及び第２実施形態では、上部スライダ４１，２４１としての吊り車が片側二輪の複車であったが、片側一輪の単車でもよい。また、上部スライダ４１，２４１のスライド方向と直交した両側面に走行輪４３，４３を有していたが、一側面だけに走行輪４３を有した構成としてもよい。
【００７９】
（４）上記第１実施形態における引戸２０及び、上記第２実施形態における第２引戸７０は、引戸支持キャスター３０及び第２引戸支持キャスター２３０がそれぞれ１つだけであったが、スライド方向と直交した水平方向で対をなすようにそれぞれ２つずつ設けてもよい。
【００８０】
（５）上記第２実施形態において、引戸収納ボックス１０にメインヒンジ１９，１９を設けると共に、引戸収納ボックス１０と第１引戸２０とに回動アシスト機構（可動ベース１５、ボックス支持キャスター１６、可動ベース押下体２４等）を設けて、第１実施形態の引戸ユニット１００と同様な作用で、引戸収納ボックス１０（引戸ユニット２００）の回動操作が可能な構成としてもよい。
【００８１】
（６）上記第２実施形態では、２枚の引戸２０，７０を備えていたが、３枚以上の引戸を入れ子式に備えた構成でもよい。
【００８２】
（７）上記第１及び第２実施形態において、引戸収納ボックス１０からの引戸２０，７０の飛び出しを防止するために、収納完了位置で引戸２０，７０の移動を禁止するロック部材（例えば、引戸収納ボックス１０及び引戸２０，７０を貫通可能な閂）を設けてもよい。
【符号の説明】
【００８３】
１０    引戸収納ボックス
１２    メイン引出口
１５    可動ベース
１５Ｔ    干渉突部
１６    ボックス支持キャスター
１９    メインヒンジ
２０    引戸、第１引戸
２２    引戸側ガイドレール
２４    可動ベース押下体
２５    戸尻側貫通孔
３０    引戸支持キャスター
４０    上部スライド機構
４１    上部スライダ
４５    上部ガイドレール
５０    支持ローラ
６０    下部スライド機構
６１    下部ガイドレール
６２    中間ガイドレール
７０    第２引戸
７２    引戸側ガイドレール
８１    第１滑車
８２    第２滑車
８３    ワイヤー
１００    引戸ユニット
２００    引戸ユニット
２１２    第１引出口
２３０    第２引戸支持キャスター
２４０    上部スライド機構
２４１    上部スライダ
２４５    上部ガイドレール
２５０    支持ローラ
２６０    下部スライド機構
２６１    下部ガイドレール
２６２    中間ガイドレール
Ｆ１    床面
Ｗ１    開口部
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
建物内に起立状態にして設置される扁平箱形構造の引戸収納ボックスと、前記引戸収納ボックスのうち幅狭の一側面に形成されたメイン引出口を通して、前記引戸収納ボックスに収納可能な引戸とを備えて、前記引戸の戸先側端部以外の全体を前記引戸収納ボックス内に収納した収納完了位置と、前記引戸の戸尻側端部以外の全体を前記引戸収納ボックス外に引き出した引出完了位置との間で前記引戸をスライド操作可能とした引戸ユニットであって、
前記引戸収納ボックスの内側下部に設けられ、前記引戸収納ボックスのうち幅狭の側面と直交する方向に延びた下部ガイドレールと、前記引戸の下端部に設けられて前記下部ガイドレールと平行に延びた引戸側ガイドレールと、前記下部ガイドレールと前記引戸側ガイドレールとの間に設けられ、前記下部ガイドレール及び前記引戸側ガイドレールにスライド可能に係合した中間ガイドレールとからなる下部スライド機構と、
前記引戸収納ボックスの内側上部に設けられ、前記引戸収納ボックスのうち幅狭の側面と直交する方向に延びた上部ガイドレールと、前記引戸の戸尻側端部の上端部に取り付けられ、前記上部ガイドレールにスライド可能に係合した上部スライダとからなる上部スライド機構とを備え、
前記上部スライド機構によって前記引戸の戸尻側端部を吊り上げると共に、前記引戸の戸先側端部の下部に引戸支持キャスターを取り付けて建物の床面上で転動可能とした引戸ユニットにおいて、
前記引戸収納ボックスのうち前記メイン引出口と反対側の端部を建物に備えた固定対象物に回動可能に連結するメインヒンジと、
前記引戸収納ボックスのうち前記メイン引出口側の端部の下面壁に上下動可能に支持された可動ベースと、
前記可動ベースに取り付けられて、前記メインヒンジを中心として前記引戸収納ボックスが回動したときに前記建物の床面上で転動可能なボックス支持キャスターと、
前記可動ベースと前記引戸とに設けられ、前記引戸が前記収納完了位置からずれているときに、前記可動ベースの上方への移動を許容し、前記引戸が前記収納完了位置に移動したときに、前記可動ベースを可動範囲の下端位置に向けて押し下げ、前記ボックス支持キャスターを床面に当接させることで前記引戸支持キャスターを床面から上方に離間させた状態に保持するベース位置切替機構とを備えたことを特徴とする引戸ユニット。
【請求項２】
前記引戸支持キャスターは、前記引戸のスライド方向と直交した回転軸を中心に回転可能としたことを特徴とする請求項１に記載の引戸ユニット。
【請求項３】
前記引戸収納ボックス内のうち前記メイン引出口の両側部分に回転可能に支持され、前記引戸を厚さ方向で挟んだ状態で前記引戸のスライドに伴って回動する１対の支持ローラを備えたことを特徴とする請求項１又は２に記載の引戸ユニット。
【請求項４】
前記引戸として、扁平箱形構造をなしかつ前記メイン引出口と同じ方向を向いた第１引出口を有する第１引戸を備えると共に、その第１引出口を通して、前記第１引戸の内部に収納可能な第２引戸を備え、
前記第２引戸の戸先側端部以外の全体を前記第１引戸の内部に収納した収納完了位置と、前記第２引戸の戸尻側端部以外の全体を前記第１引戸の外部に引き出した引出完了位置との間で前記第２引戸をスライド操作可能とし、前記第１引戸と前記第２引戸との間に前記上部スライド機構を設けると共に前記第２引戸の下部に第２引戸支持キャスターを取り付けて建物の床面上で転動可能としたことを特徴とする請求項１乃至３の何れか１の請求項に記載の引戸ユニット。
【請求項５】
前記第２引戸支持キャスターは、前記第２引戸のスライド方向と直交した回転軸を中心に回転可能としたことを特徴とする請求項４に記載の引戸ユニット。
【請求項６】
前記第１引戸のうち戸尻側端部に配置され、前記第１引戸のスライド方向と直交した回転軸を中心に回転可能な第１滑車と、前記第１引戸のうち戸先側端部の内部に配置され、前記第１引戸のスライド方向と直交した回転軸を中心に回転可能な第２滑車と、
前記引戸収納ボックスの奥壁に一端部を固定されたワイヤーを、前記第１引戸の戸尻側端部に備えた戸尻側貫通孔を通して前記第２滑車で前記第１引戸の戸尻側に折り返してから前記第１滑車で前記第１引戸の戸先側にさらに折り返して、前記戸尻側貫通孔を通して前記引戸収納ボックスの前記メイン引出口側の端部内面に前記ワイヤーの他端部を固定し、さらに、前記ワイヤーのうち前記第１滑車と第２滑車との間部分を前記第２引戸の戸尻側の端部に固定したことにより、前記第１引戸と前記第２引戸とが連動しかつ同時に前記収納完了位置及び前記引出完了位置に到達するように構成したことを特徴とする請求項４又は５に記載の引戸ユニット。
【請求項７】
建物内に起立状態にして設置される扁平箱形構造の引戸収納ボックスと、前記引戸収納ボックスのうち幅狭の一側面に形成されたメイン引出口を通して、前記引戸収納ボックスに収納可能な第１引戸とを備えて、前記第１引戸の戸先側端部以外の全体を前記引戸収納ボックス内に収納した収納完了位置と、前記第１引戸の戸尻側端部以外の全体を前記引戸収納ボックス外に引き出した引出完了位置との間で前記第１引戸をスライド操作可能とした引戸ユニットであって、
前記引戸収納ボックスの内側下部に設けられ、前記引戸収納ボックスのうち幅狭の側面と直交する方向に延びた下部ガイドレールと、前記第１引戸の下端部に設けられて前記下部ガイドレールと平行に延びた引戸側ガイドレールと、前記下部ガイドレールと前記引戸側ガイドレールとの間に設けられ、前記下部ガイドレール及び前記引戸側ガイドレールにスライド可能に係合した中間ガイドレールとからなる下部スライド機構と、
前記引戸収納ボックスの内側上部に設けられ、前記引戸収納ボックスのうち幅狭の側面と直交する方向に延びた上部ガイドレールと、前記第１引戸の戸尻側端部の上端部に取り付けられ、前記上部ガイドレールにスライド可能に係合した上部スライダとからなる上部スライド機構とを備え、
前記上部スライド機構によって前記第１引戸の戸尻側端部を吊り上げると共に、前記第１引戸の戸先側端部の下部に引戸支持キャスターを取り付けて建物の床面上で転動可能とした引戸ユニットにおいて、
前記第１引戸は、扁平箱形構造をなしかつ前記メイン引出口と同じ方向を向いた第１引出口を有すると共に、その第１引出口を通して、前記第１引戸の内部に収納可能な第２引戸を備え、
前記第２引戸の戸先側端部以外の全体を前記第１引戸の内部に収納した収納完了位置と、前記第２引戸の戸尻側端部以外の全体を前記第１引戸の外部に引き出した引出完了位置との間で前記第２引戸をスライド操作可能とし、前記第１引戸と前記第２引戸との間に前記上部スライド機構を設けると共に前記第２引戸の下部に第２引戸支持キャスターを取り付けて建物の床面上で転動可能とし、
前記第１引戸のうち戸尻側端部に配置され、前記第１引戸のスライド方向と直交した回転軸を中心に回転可能な第１滑車と、前記第１引戸のうち戸先側端部の内部に配置され、前記第１引戸のスライド方向と直交した回転軸を中心に回転可能な第２滑車と、
前記引戸収納ボックスの奥壁に一端部を固定されたワイヤーを、前記第１引戸の戸尻側端部に備えた戸尻側貫通孔を通して前記第２滑車で前記第１引戸の戸尻側に折り返してから前記第１滑車で前記第１引戸の戸先側にさらに折り返して、前記戸尻側貫通孔を通して前記引戸収納ボックスの前記メイン引出口側の端部内面に前記ワイヤーの他端部を固定し、さらに、前記ワイヤーのうち前記第１滑車と第２滑車との間部分を前記第２引戸の戸尻側の端部に固定したことにより、前記第１引戸と前記第２引戸とが連動しかつ同時に前記収納完了位置及び前記引出完了位置に到達するように構成したことを特徴とする引戸ユニット。
【請求項８】
前記第１引戸支持キャスターは、前記第１引戸のスライド方向と直交した回転軸を中心に回転可能としたことを特徴とする請求項７に記載の引戸ユニット。
【請求項９】
前記引戸収納ボックス内のうち前記メイン引出口の両側部分に回転可能に支持され、前記第１引戸を厚さ方向で挟んだ状態で前記第１引戸のスライドに伴って回動する１対の支持ローラを備えたことを特徴とする請求項７又は８に記載の引戸ユニット。
【請求項１０】
前記第２引戸支持キャスターは、前記第２引戸のスライド方向と直交した回転軸を中心に回転可能としたことを特徴とする請求項７乃至９の何れか１の請求項に記載の引戸ユニット。
【請求項１１】
建物内に起立状態にして設置される扁平箱形構造の引戸収納ボックスと、前記引戸収納ボックスのうち幅狭の一側面に形成されたメイン引出口を通して、前記引戸収納ボックスに収納可能な引戸とを備えて、前記引戸の戸先側端部以外の全体を前記引戸収納ボックス内に収納した収納完了位置と、前記引戸の戸尻側端部以外の全体を前記引戸収納ボックス外に引き出した引出完了位置との間で前記引戸をスライド操作可能とした１対の引戸ユニットを備え、前記１対の引戸ユニットにおける前記各引戸収納ボックスのうち、前記メイン引出口と反対側の端部同士をメインヒンジにて回動可能に連結してなる引戸ユニットセットであって、
前記１対の引戸ユニットは、前記引戸収納ボックスの内側下部に設けられ、前記引戸収納ボックスのうち幅狭の側面と直交する方向に延びた下部ガイドレールと、前記引戸の下端部に設けられて前記下部ガイドレールと平行に延びた引戸側ガイドレールと、前記下部ガイドレールと前記引戸側ガイドレールとの間に設けられ、前記下部ガイドレール及び前記引戸側ガイドレールにスライド可能に係合した中間ガイドレールとからなる下部スライド機構と、
前記引戸収納ボックスの内側上部に設けられ、前記引戸収納ボックスのうち幅狭の側面と直交する方向に延びた上部ガイドレールと、前記引戸の戸尻側端部の上端部に取り付けられ、前記上部ガイドレールにスライド可能に係合した上部スライダとからなる上部スライド機構とを備え、
前記上部スライド機構によって前記引戸の戸尻側端部を吊り上げると共に、前記引戸の戸先側端部の下部に引戸支持キャスターを取り付けて建物の床面上で転動可能であると共に、
前記１対の引戸ユニットのうちの一方は、前記引戸収納ボックスのうち前記メイン引出口側の端部の下面壁に上下動可能に支持された可動ベースと、
前記可動ベースに取り付けられて、前記メインヒンジを中心として前記引戸収納ボックスが回動したときに前記建物の床面上で転動可能なボックス支持キャスターと、
前記可動ベースと前記引戸とに設けられ、前記引戸が前記収納完了位置からずれているときに、前記可動ベースの上方への移動を許容し、前記引戸が前記収納完了位置に移動したときに、前記可動ベースを可動範囲の下端位置に向けて押し下げ、前記ボックス支持キャスターを床面に当接させることで前記引戸支持キャスターを床面から上方に離間させた状態に保持するベース位置切替機構とを備えたことを特徴とする引戸ユニットセット。
【手続補正２】
【補正対象書類名】明細書
【補正対象項目名】全文
【補正方法】変更
【補正の内容】
【発明の詳細な説明】
【技術分野】
【０００１】
本発明は、引戸を有した引戸ユニット及引戸ユニットセットに関する。
【背景技術】
【０００２】
従来の引戸としては、引戸の上端部に備えた複数の上部スライダ（例えば、吊車）を建物天井面に固定された上部ガイドレールにスライド可能に係合させた上吊式の引戸が知られている（例えば、特許文献１参照）。
【先行技術文献】
【特許文献】
【０００３】
【特許文献１】特開２００８−６３７６４号公報（段落［００１８］、第１図）
【発明の概要】
【発明が解決しようとする課題】
【０００４】
ところが、上述した従来の引戸は、建物天井面に上部ガイドレールを設ける必要があり、設置作業に手間がかかるという問題があった。
【０００５】
本発明は、上記事情に鑑みてなされたものであって、従来よりも容易に引戸を設けることが可能な引戸ユニット及び引戸ユニットセットの提供を目的とする。
【課題を解決するための手段】
【０００６】
上記目的を達成するためになされた請求項１の発明に係る引戸ユニットは、建物内に起立状態にして設置される扁平箱形構造の引戸収納ボックスと、引戸収納ボックスのうち幅狭の一側面に形成されたメイン引出口を通して、引戸収納ボックスに収納可能な引戸とを備えて、引戸の戸先側端部以外の全体を引戸収納ボックス内に収納した収納完了位置と、引戸の戸尻側端部以外の全体を引戸収納ボックス外に引き出した引出完了位置との間で引戸をスライド操作可能とした引戸ユニットであって、引戸収納ボックスの内側下部に設けられ、引戸収納ボックスのうち幅狭の側面と直交する方向に延びた下部ガイドレールと、引戸の下端部に設けられて下部ガイドレールと平行に延びた引戸側ガイドレールと、下部ガイドレールと引戸側ガイドレールとの間に設けられ、下部ガイドレール及び引戸側ガイドレールにスライド可能に係合した中間ガイドレールとからなる下部スライド機構と、引戸収納ボックスの内側上部に設けられ、引戸収納ボックスのうち幅狭の側面と直交する方向に延びた上部ガイドレールと、引戸の戸尻側端部の上端部に取り付けられ、上部ガイドレールにスライド可能に係合した上部スライダとからなる上部スライド機構とを備え、上部スライド機構によって引戸の戸尻側端部を吊り上げると共に、引戸の戸先側端部の下部に引戸支持キャスターを取り付けて建物の床面上で転動可能とした引戸ユニットにおいて、引戸収納ボックスのうちメイン引出口と反対側の端部を建物に備えた固定対象物に回動可能に連結するメインヒンジと、引戸収納ボックスのうちメイン引出口側の端部の下面壁に上下動可能に支持された可動ベースと、可動ベースに取り付けられて、メインヒンジを中心として引戸収納ボックスが回動したときに建物の床面上で転動可能なボックス支持キャスターと、可動ベースと引戸とに設けられ、引戸が収納完了位置からずれているときに、可動ベースの上方への移動を許容し、引戸が収納完了位置に移動したときに、可動ベースを可動範囲の下端位置に向けて押し下げ、ボックス支持キャスターを床面に当接させることで引戸支持キャスターを床面から上方に離間させた状態に保持するベース位置切替機構とを備えたところに特徴を有する。
【０００７】
請求項２の発明は、請求項１に記載の引戸ユニットにおいて、引戸支持キャスターは、引戸のスライド方向と直交した回転軸を中心に回転可能としたところに特徴を有する。
【０００８】
請求項３の発明は、請求項１又は２に記載の引戸ユニットにおいて、引戸収納ボックス内のうちメイン引出口の両側部分に回転可能に支持され、引戸を厚さ方向で挟んだ状態で引戸のスライドに伴って回動する１対の支持ローラを備えたところに特徴を有する。
【０００９】
請求項４の発明は、請求項１乃至３の何れか１の請求項に記載の引戸ユニットにおいて、引戸として、扁平箱形構造をなしかつメイン引出口と同じ方向を向いた第１引出口を有する第１引戸を備えると共に、その第１引出口を通して、第１引戸の内部に収納可能な第２引戸を備え、第２引戸の戸先側端部以外の全体を第１引戸の内部に収納した収納完了位置と、第２引戸の戸尻側端部以外の全体を第１引戸の外部に引き出した引出完了位置との間で第２引戸をスライド操作可能とし、第１引戸と第２引戸との間に上部スライド機構を設けると共に第２引戸の下部に第２引戸支持キャスターを取り付けて建物の床面上で転動可能としたところに特徴を有する。
【００１０】
請求項５の発明は、請求項４に記載の引戸ユニットにおいて、第２引戸支持キャスターは、第２引戸のスライド方向と直交した回転軸を中心に回転可能としたところに特徴を有する。
【００１１】
請求項６の発明は、請求項４又は５に記載の引戸ユニットにおいて、第１引戸のうち戸尻側端部に配置され、第１引戸のスライド方向と直交した回転軸を中心に回転可能な第１滑車と、第１引戸のうち戸先側端部の内部に配置され、第１引戸のスライド方向と直交した回転軸を中心に回転可能な第２滑車と、引戸収納ボックスの奥壁に一端部を固定されたワイヤーを、第１引戸の戸尻側端部に備えた戸尻側貫通孔を通して第２滑車で第１引戸の戸尻側に折り返してから第１滑車で第１引戸の戸先側にさらに折り返して、戸尻側貫通孔を通して引戸収納ボックスのメイン引出口側の端部内面にワイヤーの他端部を固定し、さらに、ワイヤーのうち第１滑車と第２滑車との間部分を第２引戸の戸尻側の端部に固定したことにより、第１引戸と第２引戸とが連動しかつ同時に収納完了位置及び引出完了位置に到達するように構成したところに特徴を有する。
【００１２】
上記目的を達成するためになされた請求項７の発明に係る引戸ユニットは、建物内に起立状態にして設置される扁平箱形構造の引戸収納ボックスと、引戸収納ボックスのうち幅狭の一側面に形成されたメイン引出口を通して、引戸収納ボックスに収納可能な第１引戸とを備えて、第１引戸の戸先側端部以外の全体を引戸収納ボックス内に収納した収納完了位置と、第１引戸の戸尻側端部以外の全体を引戸収納ボックス外に引き出した引出完了位置との間で第１引戸をスライド操作可能とした引戸ユニットであって、引戸収納ボックスの内側下部に設けられ、引戸収納ボックスのうち幅狭の側面と直交する方向に延びた下部ガイドレールと、第１引戸の下端部に設けられて下部ガイドレールと平行に延びた引戸側ガイドレールと、下部ガイドレールと引戸側ガイドレールとの間に設けられ、下部ガイドレール及び引戸側ガイドレールにスライド可能に係合した中間ガイドレールとからなる下部スライド機構と、引戸収納ボックスの内側上部に設けられ、引戸収納ボックスのうち幅狭の側面と直交する方向に延びた上部ガイドレールと、第１引戸の戸尻側端部の上端部に取り付けられ、上部ガイドレールにスライド可能に係合した上部スライダとからなる上部スライド機構とを備え、上部スライド機構によって第１引戸の戸尻側端部を吊り上げると共に、第１引戸の戸先側端部の下部に第１引戸支持キャスターを取り付けて建物の床面上で転動可能とした引戸ユニットにおいて、第１引戸は、扁平箱形構造をなしかつメイン引出口と同じ方向を向いた第１引出口を有すると共に、その第１引出口を通して、第１引戸の内部に収納可能な第２引戸を備え、第２引戸の戸先側端部以外の全体を第１引戸の内部に収納した収納完了位置と、第２引戸の戸尻側端部以外の全体を第１引戸の外部に引き出した引出完了位置との間で第２引戸をスライド操作可能とし、第１引戸と第２引戸との間に上部スライド機構を設けると共に第２引戸の下部に第２引戸支持キャスターを取り付けて建物の床面上で転動可能とし、第１引戸のうち戸尻側端部に配置され、第１引戸のスライド方向と直交した回転軸を中心に回転可能な第１滑車と、第１引戸のうち戸先側端部の内部に配置され、第１引戸のスライド方向と直交した回転軸を中心に回転可能な第２滑車と、引戸収納ボックスの奥壁に一端部を固定されたワイヤーを、第１引戸の戸尻側端部に備えた戸尻側貫通孔を通して第２滑車で第１引戸の戸尻側に折り返してから第１滑車で第１引戸の戸先側にさらに折り返して、戸尻側貫通孔を通して引戸収納ボックスのメイン引出口側の端部内面にワイヤーの他端部を固定し、さらに、ワイヤーのうち第１滑車と第２滑車との間部分を第２引戸の戸尻側の端部に固定したことにより、第１引戸と第２引戸とが連動しかつ同時に収納完了位置及び引出完了位置に到達するように構成したところに特徴を有する。
【００１３】
請求項８の発明は、請求項７に記載の引戸ユニットにおいて、第１引戸支持キャスターは、第１引戸のスライド方向と直交した回転軸を中心に回転可能としたところに特徴を有する。
【００１４】
請求項９の発明は、請求項７又は８に記載の引戸ユニットにおいて、引戸収納ボックス内のうちメイン引出口の両側部分に回転可能に支持され、第１引戸を厚さ方向で挟んだ状態で第１引戸のスライドに伴って回動する１対の支持ローラを備えたところに特徴を有する。
【００１５】
請求項１０の発明は、請求項７乃至９の何れか１の請求項に記載の引戸ユニットにおいて、第２引戸支持キャスターは、第２引戸のスライド方向と直交した回転軸を中心に回転可能としたところに特徴を有する。
【００１６】
請求項１１の発明に係る引戸ユニットセットは、建物内に起立状態にして設置される扁平箱形構造の引戸収納ボックスと、引戸収納ボックスのうち幅狭の一側面に形成されたメイン引出口を通して、引戸収納ボックスに収納可能な引戸とを備えて、引戸の戸先側端部以外の全体を引戸収納ボックス内に収納した収納完了位置と、引戸の戸尻側端部以外の全体を引戸収納ボックス外に引き出した引出完了位置との間で引戸をスライド操作可能とした１対の引戸ユニットを備え、１対の引戸ユニットにおける各引戸収納ボックスのうち、メイン引出口と反対側の端部同士をメインヒンジにて回動可能に連結してなる引戸ユニットセットであって、１対の引戸ユニットは、引戸収納ボックスの内側下部に設けられ、引戸収納ボックスのうち幅狭の側面と直交する方向に延びた下部ガイドレールと、引戸の下端部に設けられて下部ガイドレールと平行に延びた引戸側ガイドレールと、下部ガイドレールと引戸側ガイドレールとの間に設けられ、下部ガイドレール及び引戸側ガイドレールにスライド可能に係合した中間ガイドレールとからなる下部スライド機構と、引戸収納ボックスの内側上部に設けられ、引戸収納ボックスのうち幅狭の側面と直交する方向に延びた上部ガイドレールと、引戸の戸尻側端部の上端部に取り付けられ、上部ガイドレールにスライド可能に係合した上部スライダとからなる上部スライド機構とを備え、上部スライド機構によって引戸の戸尻側端部を吊り上げると共に、引戸の戸先側端部の下部に引戸支持キャスターを取り付けて建物の床面上で転動可能であると共に、１対の引戸ユニットのうちの一方は、引戸収納ボックスのうちメイン引出口側の端部の下面壁に上下動可能に支持された可動ベースと、可動ベースに取り付けられて、メインヒンジを中心として引戸収納ボックスが回動したときに建物の床面上で転動可能なボックス支持キャスターと、可動ベースと引戸とに設けられ、引戸が収納完了位置からずれているときに、可動ベースの上方への移動を許容し、引戸が収納完了位置に移動したときに、可動ベースを可動範囲の下端位置に向けて押し下げ、ボックス支持キャスターを床面に当接させることで引戸支持キャスターを床面から上方に離間させた状態に保持するベース位置切替機構とを備えたところに特徴を有する。
【発明の効果】
【００１７】
［請求項１の発明］
請求項１の発明によれば、引戸の戸先側端部の下部には引戸支持キャスターが設けられ、引戸のうち引戸支持キャスターと対角の位置である戸尻側端部の上端部には、上部ガイドレールにスライド可能に係合した上部スライダが設けられているから、これら引戸支持キャスターと上部スライダとによって引戸を安定してスライド移動させることが可能になる。そして、上部スライダは、引戸の戸尻側端部の上端部に設けられているから、上部スライダと係合する上部ガイドレールは、引戸収納ボックスの内側上部だけに設けておけばよい。即ち、本発明によれば、引戸収納ボックスを建物内の任意の場所に置くだけで、そこに引戸を設けることができ、建物天井面に上部ガイドレールを設ける手間が省けるから、従来よりも容易に引戸を設けることが可能になる。
【００１８】
また、本発明によれば、下部スライド機構を備えたことで、引戸の出し入れを、よりスムーズに行うことが可能になる。また、下部ガイドレールと引戸側ガイドレールとの間に中間ガイドレールが設けられ、引戸を引出完了位置にしたときに、中間ガイドレールの一端側の所定長さ分を下部ガイドレールに係合させ、他端側の所定長さ分を引戸側ガイドレールに係合させることができるから、引出完了位置における引戸の横振れをより確実に抑えることができ、安定性が向上する。
【００１９】
さらに本発明によれば、建物に備えた固定対象物に引戸収納ボックスをメインヒンジによって回動可能に連結すると、引戸収納ボックス自体が「開き戸」となって開口部の一部を引戸収納ボックスで開閉することが可能となり、開口部の残りを引戸収納ボックスから引き出し可能な引戸によって開閉することが可能になる。
【００２０】
また、引戸が収納完了位置に位置するときに、可動ベースがベース位置切替機構によって押し下げられてボックス支持キャスターが床面に押し付けられ、この状態で引戸収納ボックスを回動操作すると、ボックス支持キャスターが床面を転動するので、引戸収納ボックスの回動操作を比較的容易に行うことができる。しかも、このとき引戸支持キャスターは床面から離間しているから、引戸収納ボックスの回動操作時に、引戸支持キャスターが床面と擦れて回動の妨げとなることを防止することができる。
【００２１】
［請求項２の発明］
請求項２の発明によれば、引戸支持キャスターの転動方向は、上部スライド機構が案内するスライド方向と一致するので引戸の直進性が向上し、引戸をより安定してスライド移動させることが可能になる。
【００２２】
［請求項３の発明］
請求項３の発明によれば、引戸を厚さ方向で挟んだ状態で引戸のスライドに伴って回動する１対の支持ローラを備えたので、引戸の横振れを防止してスムーズに出し入れすることができる。
【００２３】
［請求項４の発明］
請求項４の発明によれば、引戸としての第１引戸から、その第１引戸と同じスライド方向に第２引戸を引き出すことが可能であるから、より幅広な開口部の開閉を行うことが可能になる。
【００２４】
［請求項５の発明］
請求項５の発明によれば、第２引戸支持キャスターの転動方向は、第１引戸と第２引戸との間に設けられた上部スライド機構が案内するスライド方向と一致するので、第２引戸をより安定してスライド移動させることが可能になる。
【００２５】
［請求項６の発明］
請求項６の発明によれば、引戸収納ボックスに対する第１引戸のスライドに連動して、第２引戸が第１引戸に対して第１引戸と同一方向に同一距離だけスライドして、収納完了位置及び引出完了位置に同時に到達する。従って、第１引戸をスライド操作した場合に、は、第２引戸をスライド操作した場合の半分の操作量で、第１引戸及び第２引戸を引出完了位置と収納完了位置との間でスライド移動させることが可能となる。
【００２６】
［請求項７の発明］
請求項７の発明によれば、第１引戸の戸先側端部の下部には第１引戸支持キャスターが設けられ、第１引戸のうち第１引戸支持キャスターと対角の位置である戸尻側端部の上端部には、上部ガイドレールにスライド可能に係合した上部スライダが設けられているから、これら引戸支持キャスターと上部スライダとによって第１引戸を安定してスライド移動させることが可能になる。そして、上部スライダは、第１引戸の戸尻側端部の上端部に設けられているから、上部スライダと係合する上部ガイドレールは、引戸収納ボックスの内側上部だけに設けておけばよい。即ち、本発明によれば、引戸収納ボックスを建物内の任意の場所に置くだけで、そこに引戸を設けることができ、建物天井面に上部ガイドレールを設ける手間が省けるから、従来よりも容易に引戸を設けることが可能になる。
【００２７】
また、本発明によれば、下部スライド機構を備えたことで、第１引戸の出し入れを、よりスムーズに行うことが可能になる。また、下部ガイドレールと引戸側ガイドレールとの間に中間ガイドレールが設けられ、第１引戸を引出完了位置にしたときに、中間ガイドレールの一端側の所定長さ分を下部ガイドレールに係合させ、他端側の所定長さ分を引戸側ガイドレールに係合させることができるから、引出完了位置における引戸の横振れをより確実に抑えることができ、安定性が向上する。
【００２８】
また、本発明によれば、第１引戸から、その第１引戸と同じスライド方向に第２引戸を引き出すことが可能であるから、より幅広な開口部の開閉を行うことが可能になる。
【００２９】
さらに、本発明によれば、引戸収納ボックスに対する第１引戸のスライドに連動して、第２引戸が第１引戸に対して第１引戸と同一方向に同一距離だけスライドして、収納完了位置及び引出完了位置に同時に到達する。従って、第１引戸をスライド操作した場合に、は、第２引戸をスライド操作した場合の半分の操作量で、第１引戸及び第２引戸を引出完了位置と収納完了位置との間でスライド移動させることが可能となる。
【００３０】
［請求項８の発明］
請求項８の発明によれば、第１引戸支持キャスターの転動方向は、上部スライド機構が案内するスライド方向と一致するので第１引戸の直進性が向上し、第１引戸をより安定してスライド移動させることが可能になる。
【００３１】
［請求項９の発明］
請求項９の発明によれば、第１引戸を厚さ方向で挟んだ状態で第１引戸のスライドに伴って回動する１対の支持ローラを備えたので、第１引戸の横振れを防止してスムーズに出し入れすることができる。
【００３２】
［請求項１０の発明］
請求項１０の発明によれば、第２引戸支持キャスターの転動方向は、第１引戸と第２引戸との間に設けられた上部スライド機構が案内するスライド方向と一致するので、第２引戸をより安定してスライド移動させることが可能になる。
【００３３】
［請求項１１の発明］
請求項１１の発明によれば、１対の引戸ユニットのうち、ボックス支持キャスターを有した一方の引戸ユニットを他方の引戸ユニットに対して回動させることが可能になる。
【図面の簡単な説明】
【００３４】
【図１】本発明の第１実施形態に係る引戸ユニットの斜視図
【図２】引戸を収納完了位置にした状態の引戸ユニットの正面図
【図３】引戸を引出完了位置にした状態の引戸ユニットの正面図
【図４】引戸ユニットにおける引戸収納ボックスの側断面図
【図５】上部スライド機構の部分断面図
【図６】（Ａ）収納完了位置のときの下部スライド機構の斜視図、（Ｂ）収納完了位置からずらされたときの下部スライド機構の斜視図
【図７】引出完了位置のときの下部スライド機構の斜視図
【図８】（Ａ）引出完了位置にした引戸ユニットの平面図、（Ｂ）収納完了位置にした引戸ユニットの平面図、（Ｃ）引戸収納ボックスを回動させた状態の引戸ユニットの平面図
【図９】引戸が収納完了位置からずれているときの引戸ユニットの下端部の部分断面図
【図１０】引戸を収納完了位置にして引戸収納ボックスを回動操作したときの引戸ユニットの下端部の部分断面図
【図１１】第２実施形態に係る引戸ユニットの斜視図
【図１２】引戸ユニットを戸先側から見た側面図
【図１３】引戸ユニットの部分断面図
【図１４】下部スライド機構を戸尻側から見た側断面図
【図１５】引戸連動機構の概念図
【図１６】引戸を収納完了位置にしたときの引戸連動機構のスケルトンモデル
【図１７】引戸が収納完了位置と引出完了位置との中間に位置したときの引戸連動機構のスケルトンモデル
【図１８】引戸を引出完了位置にしたときの引戸連動機構のスケルトンモデル
【発明を実施するための形態】
【００３５】
［第１実施形態］
以下、本発明に係る引戸ユニット１００の第１実施形態を図１〜図１０に基づいて説明する。図１に示すように引戸ユニット１００は、引戸２０と、その引戸２０を収納可能な引戸収納ボックス１０とを備えている。引戸収納ボックス１０は、扁平箱形構造をなしており、建物内に起立状態にして設置可能となっている。なお、本実施形態の引戸収納ボックス１０は、長板をコの字形に連結してなる枠体を、矩形状をなした１対のパネル材で挟んで接合した構造であるが、引戸収納ボックスの材質や組み立て構造は特に限定するものでない。
【００３６】
引戸収納ボックス１０の内部には、扁平矩形状のボックス内空間１１（図２参照）が形成されており、引戸収納ボックス１０のうち、幅狭の一側面１０Ａには、ボックス内空間１１を側方に開放した縦長のメイン引出口１２が形成されている。このメイン引出口１２を通して引戸２０を引戸収納ボックス１０内に収納及び引き出すことが可能となっている。以下、説明の便宜のため、引戸収納ボックス１０のメイン引出口１２が開放した方を「前方」といい、その反対側を「後方」といい、引戸収納ボックス１０における幅狭の一側面１０Ａと直交する方向を「前後方向」という。
【００３７】
図１に示すように、引戸２０は扁平矩形状をなしており、例えば、１枚のパネル材或いは、複数枚のパネル材を重ねて構成されている。引戸２０は、図２に示すように、戸先側端部以外の全体を引戸収納ボックス１０内に収納した収納完了位置と、図３に示すように、戸尻側端部以外の全体を引戸収納ボックス１０の外に引き出した引出完了位置との間でスライド移動可能となっている。引戸２０は、戸尻側端部が引戸収納ボックス１０の後端壁１３に備えた図示しない戸当たりに当接することで収納完了位置に位置決めされ、引戸２０と引戸収納ボックス１０との間に設けられた図示しない引抜規制部により、引出完了位置に位置決めされる。また、収納完了位置にしたときの引戸２０の引き残し部分（戸先側端部）の両面には、引戸２０をスライド操作する際に手を掛けるための引き手２１，２１が設けられている（図１〜図３には、一方の引き手２１のみが図示されている）。なお、本実施形態の引き手２１は堀込み形であるが、所謂、「バーハンドル」でもよい。
【００３８】
図３に示すように、引戸２０のうち、戸先側端部の下部には引戸支持キャスター３０が設けられている。引戸支持キャスター３０は、引戸２０の下端面から突出しており、引戸収納ボックス１０が設置された建物の床面Ｆ１上で転動可能となっている。引戸支持キャスター３０は、床面Ｆ１を転動する転動体として、トレッド面が平坦な車輪３０Ｒを備えており、その車輪３０Ｒは、引戸２０の厚さ方向と平行な（引戸２０のスライド方向と直交した）回転軸で回転可能となっている（図４参照）。即ち、引戸支持キャスター３０の転動方向は、次述する上部スライド機構４０が案内する引戸２０のスライド方向と一致するように構成されている。
【００３９】
図２に示すように、引戸２０のうち、引戸支持キャスター３０に対して対角の位置、即ち、引戸２０の戸尻側端部の上端部には、上部スライダ４１が取り付けられている。上部スライダ４１は、吊り車（より詳細には、四輪の複車）である。即ち、上部スライダ４１は、図５に示すように、スライド方向の前後に間隔を開けて２つずつ、合計４つの走行輪４３，４３をスライダ本体４２の両側面に備え、そのスライダ本体４２から垂下した連結軸４４の下端部が引戸２０の上端部に固定されている。
【００４０】
この上部スライダ４１を介して引戸２０の戸尻側端部をスライド可能に吊り上げるために、引戸収納ボックス１０には上部ガイドレール４５が備えられている。上部ガイドレール４５は、引戸収納ボックス１０の内側（ボックス内空間１１）の上端面１１Ａに固定され、引戸収納ボックス１０の前後方向に延びている。上部ガイドレール４５は、引戸２０が収納完了位置と引出完了位置との間で移動したときの上部スライダ４１の移動範囲に合わせて設けられており、上部スライダ４１の移動範囲の全域で上部スライダ４１とのスライド係合が維持されるように構成されている。上部ガイドレール４５は、その長手方向と直交する水平方向で隙間を空けて平行配置された１対のレール溝部４６，４６を有し、それら１対のレール溝部４６，４６の上面を、上部スライダ４１の両側面に備えた各走行輪４３，４３が走行可能となっている。そして、上部スライダ４１と上部ガイドレール４５とによって上部スライド機構４０が構成されている。
【００４１】
上記したように、上部スライダ４１と引戸支持キャスター３０は、引戸２０の対角の位置に配置されているので、これらだけでも安定して引戸２０をスライド移動させることが可能であるが、より安定性を高めるために、引戸収納ボックス１０内には、引戸２０を厚さ方向で挟んだ１対の支持ローラ５０，５０が備えられている。１対の支持ローラ５０，５０は、引戸２０が引出完了位置まで引き出された状態（図３に示す状態）でも、引戸収納ボックス１０内に残された引戸２０の戸尻側端部を挟むことが可能な位置に配置されている。具体的には、メイン引出口１２の両側部分でかつ、上下方向の中間部より上側に配置されている。これら支持ローラ５０，５０は、ボックス内空間１１で鉛直方向に延びた支持シャフト５１，５１に回転可能に軸支されている。支持シャフト５１は、その上端部のみが引戸収納ボックス１０に固定された片持ち構造となっており、支持シャフト５１の下端部に備えた鍔部５２で支持ローラ５０を抜け止めしている。また。支持ローラ５０は、軸方向（上下方向）の両端部から中間部に向かうに従って拡径した紡錘形をなしている。そして、引戸２０が引戸収納ボックス１０に出し入れされるときに、引戸２０のスライドに連動してこれら１対の支持ローラ５０，５０が回転するように構成されている。これら１対の支持ローラ５０，５０によって引戸２０の横揺れを抑えることができ、引戸２０をスムーズに出し入れすることができる。
【００４２】
引戸収納ボックス１０と引戸２０との間には、上記した上部スライド機構４０と協働して引戸２０のスライド移動をガイドする下部スライド機構６０が備えられている。図６に示すように、下部スライド機構６０は、ボックス内空間１１の下端面に固定された下部ガイドレール６１と、引戸２０の下端面に設けられた引戸側ガイドレール２２と、それら下部ガイドレール６１と引戸側ガイドレール２２との双方にスライド可能に係合した中間ガイドレール６２とから構成されている。
【００４３】
下部ガイドレール６１は、上部ガイドレール４５と同様に引戸収納ボックス１０の前後方向に延びている。図６（Ｂ）に示すように、下部ガイドレール６１は、例えば、断面矩形の角パイプ構造をなしており、その幅方向の一側面に側面長孔６１Ａが貫通形成されている。側面長孔６１Ａは、下部ガイドレール６１の戸尻側の端部から軸方向の中間部まで連続して延びている。
【００４４】
中間ガイドレール６２は、例えば、断面門形（下方に開放したコの字形）をなしており、その内側に下部ガイドレール６１をスライド可能に受容している。中間ガイドレール６２の戸尻側端部にはスライドピン６２Ｐが設けられ、これが下部ガイドレール６１の側面長孔６１Ａ内にスライド可能に挿入されている。また、中間ガイドレール６２の上面には上面長孔６２Ａが貫通形成されている。上面長孔６２Ａは、戸尻側の端部から軸方向の中間部まで連続して延びている。なお、下部ガイドレール６１及び中間ガイドレール６２は共に金属製であって、例えば、アルミ型材で構成されている。
【００４５】
引戸側ガイドレール２２は、引戸２０の下端面における幅方向の中央部をコの字形に陥没させた下面開放の溝形構造をなしている。引戸側ガイドレール２２は、引戸２０の戸尻側の端面から戸先側に向かって延びており、その内側に中間ガイドレール６２がスライド可能に受容されている。引戸側ガイドレール２２における戸尻側の端部上面からは、スライドピン２２Ｐ（図６（Ａ）参照）が垂下しており、これが中間ガイドレール６２の上面長孔６２Ａ内にスライド可能に挿入されている。
【００４６】
引戸２０を収納完了位置（図６（Ａ）に示す位置）から引き出した場合、途中までは、引戸２０のみが単独でスライドする。この間、引戸２０に備えたスライドピン２２Ｐが中間ガイドレール６２の上面長孔６２Ａ内を移動する。引戸２０が約半分程引き出されると、スライドピン２２Ｐが上面長孔６２Ａの戸先側端部に当接する。これより先は、引戸２０と中間ガイドレール６２とが一体にスライドし、中間ガイドレール６２が下部ガイドレール６１に対してスライドする（図６（Ｂ）に示す状態）。この間、中間ガイドレール６２に備えたスライドピン６２Ｐが下部ガイドレール６１の側面長孔６１Ａ内を移動する。そして、スライドピン６２Ｐが側面長孔６１Ａの戸先側端部に当接すると、それ以上のスライドが禁止されて引戸２０は、図７に示す引出完了位置になる。この引出完了位置において、下部ガイドレール６１には、中間ガイドレール６２の全長の約半分が係合し、中間ガイドレール６２の残り約半分が下部ガイドレール６１よりも前方に延びた状態となる。そして、下部ガイドレール６１より前方に延びた中間ガイドレール６２の残り約半分が、引戸側ガイドレール２２と係合した状態になる。つまり、中間ガイドレール６２が、下部ガイドレール６１と引戸側ガイドレール２２との双方にそれぞれ全長の約半分ずつ係合した状態になるから、引出完了位置にしたときの引戸２０の横振れをより確実に抑えることができ、安定性が向上する。
【００４７】
なお、引出完了位置から収納完了位置に向けて引戸２０を移動させた場合の下部スライド機構６０の動作も、上記した動作と同様であり、途中までは引戸２０のみが単独でスライドし、途中から収納完了位置に至るまで引戸２０と中間ガイドレール６２とが一体になってスライドする。
【００４８】
さて、本実施形態の引戸ユニット１００は、単に引戸としてだけでなく、「開き戸」としても使用可能である。即ち、引戸収納ボックス１０のうち、メイン引出口１２とは反対の後端部には、複数のメインヒンジ１９，１９が取り付けられている。これらメインヒンジ１９，１９は、建物に備えた固定対象物、具体的には、建物の壁体に形成された開口部Ｗ１の一側縁部に固定されて、引戸収納ボックス１０を開口部Ｗ１に対して回動可能に連結している。
【００４９】
つまり、本実施形態の引戸ユニット１００は、図８（Ａ）から同図（Ｃ）への変化に示すように、引戸収納ボックス１０自体が「開き戸」となって開口部Ｗ１の一側縁部側を開閉することが可能であり、開口部Ｗ１の残りを引戸収納ボックス１０から引き出すことが可能な引戸２０によって開閉することが可能になっている。これにより、開口部Ｗ１の開口幅を必要に応じて全閉、半開、全開の３段階に調節することが可能になる。
【００５０】
ここで、本実施形態のメインヒンジ１９，１９は、「グレビティヒンジ」と称されるものであって、その回動方向の一端から他端（例えば、図８（Ｂ）に示す位置から同図（Ｃ）に示す位置）に向けて引戸収納ボックス１０を回動させる過程で、カム機構によって引戸収納ボックス１０を徐々に上に移動させて床面Ｆ１から離間させることが可能となっている。
【００５１】
さらに、本実施形態の引戸ユニット１００は、引戸収納ボックス１０をメインヒンジ１９，１９を中心にして回動操作する際の操作性を向上させるために、以下のような回動アシスト機構を備えている。即ち、図９に示すように、引戸収納ボックス１０のうち、メイン引出口１２に近い前端部近傍には、引戸収納ボックス１０の下面壁１４を貫通したキャスター出没孔１４Ａが設けられている。キャスター出没孔１４Ａは、引戸収納ボックス１０の下面（床面Ｆ１に対する設置面）に開放すると共に、ボックス内空間１１に連通している。
【００５２】
そのキャスター出没孔１４Ａの内側には可動ベース１５が備えられている。可動ベース１５は、例えば、ヒンジ１５Ｈを介して下面壁１４に支持されており、キャスター出没孔１４Ａ内で上下動可能となっている。可動ベース１５は、メイン引出口１２から奥側に向かって上り傾斜となった干渉突部１５Ｔを備えており、図９に示すように、引戸２０が収納完了位置からずれているときには、干渉突部１５Ｔが引戸２０の引戸側ガイドレール２２内に突出するように構成されている。
【００５３】
可動ベース１５のうち干渉突部１５Ｔとは反対側には、ボックス支持キャスター１６が取り付けられている。ボックス支持キャスター１６は、転動体としてボール１６Ｂを備えたボールキャスターであり、そのボール１６Ｂが、引戸収納ボックス１０を設置した床面Ｆ１に当接可能となっている。
【００５４】
一方、引戸２０の下端部のうち、引戸２０が収納完了位置に位置したときの干渉突部１５Ｔの直上位置、具体的には、引戸支持キャスター３０よりも少し戸尻側の位置には、可動ベース押下体２４とその可動ベース押下体２４を収納した下面開放の押下体収納部２３とが備えられている。
【００５５】
押下体収納部２３は、引戸２０の下端部に形成された引戸側ガイドレール２２の前端部よりも戸先側に形成されて引戸側ガイドレール２２と連続している。可動ベース押下体２４は、押下体収納部２３の上面に固定された支持金具２４Ａでローラ２４Ｒを軸支した構成となっており、ローラ２４Ｒは、引戸２０のスライド方向と直交した回転軸を中心にして回転可能となっている。
【００５６】
図９に示すように、引戸２０が収納完了位置からずれているとき、可動ベース押下体２４のローラ２４Ｒと、可動ベース１５の干渉突部１５Ｔとが離間しており、可動ベース１５は上方への移動を許容される。即ち、引戸収納ボックス１０の下面全体が床面Ｆ１に接するので、その床面Ｆ１に押されて可動ベース１５のボックス支持キャスター１６がキャスター出没孔１４Ａ内に没入し、干渉突部１５Ｔが引戸２０の引戸側ガイドレール２２内に突出する。
【００５７】
これに対し、図１０に示すように、引戸２０がスライドして収納完了位置になると、可動ベース押下体２４のローラ２４Ｒが可動ベース１５の干渉突部１５Ｔに乗り上げて、ボックス支持キャスター１６を床面Ｆ１に押し付けると共に、引戸２０の戸先側端部に備えた引戸支持キャスター３０（車輪３０Ｒ）が床面Ｆ１から僅かに離間する。
【００５８】
そして、この状態でメインヒンジ１９，１９を中心にして引戸収納ボックス１０の回動操作（例えば、図８（Ｂ）に示す位置から同図（Ｃ）に示す位置への回動操作）を行うと、メインヒンジ１９，１９であるグレビティヒンジの作用によって、図１０に示すように、引戸収納ボックス１０の全体が上方にせり上がって床面Ｆ１から離間する一方、引戸２０の自重で下方に押されたボックス支持キャスター１６が引戸収納ボックス１０の下面から突出して床面Ｆ１上を転動するので、引戸収納ボックス１０を容易に回動操作することができる。ここで、干渉突部１５Ｔと可動ベース押下体２４とが本発明の「ベース位置切替機構」に相当する。
【００５９】
このように、本実施形態によれば、引戸２０の戸先側端部の下部には引戸支持キャスター３０が設けられ、引戸２０のうち引戸支持キャスター３０と対角の位置である戸尻側端部の上端部には、上部ガイドレール４５にスライド可能に係合した上部スライダ４１が設けられているから、これら引戸支持キャスター３０と上部スライダ４１とによって引戸２０を安定してスライド移動させることができる。そして、上部スライダ４１は、引戸２０の戸尻側端部の上端部に設けられているから、上部スライダ４１と係合する上部ガイドレール４５は、引戸収納ボックス１０の内側上部（ボックス内空間１１の上端面１１Ａ）だけに設けておけばよい。即ち、本発明によれば、引戸収納ボックス１０を建物内の任意の場所に置くだけで、そこに引戸２０を設けることができ、建物天井面に上部ガイドレールを設ける手間が省けるから、従来よりも容易に引戸２０を設けることが可能になる。
【００６０】
また、引戸２０に備えた引戸支持キャスター３０（車輪３０Ｒ）の転動方向が、上部スライド機構４０が案内する引戸２０のスライド方向と一致するように構成されているから、そのスライド方向への引戸２０の直進性が向上し、引戸２０をより安定してスライド移動させることができる。
【００６１】
また、本実施形態の引戸ユニット１００は、引戸収納ボックス１０をメインヒンジ１９，１９を中心にして回動可能な「開き戸」としても使用することができる。そして、引戸２０を収納完了位置にして引戸収納ボックス１０をメインヒンジ１９，１９を中心にして回動操作すると、引戸収納ボックス１０に備えたボックス支持キャスター１６が引戸２０の自重で床面Ｆ１に押し付けられて床面Ｆ１を転動するから、引戸収納ボックス１０の回動操作を比較的容易に行うことができる。また、引戸支持キャスター３０の車輪３０Ｒは、メインヒンジ１９，１９を中心とした引戸収納ボックス１０の回動方向に転動不可能であるが、引戸２０を収納完了位置にすると、引戸支持キャスター３０の車輪３０Ｒは床面Ｆ１から離間するから、引戸収納ボックス１０の回動操作時に、引戸支持キャスター３０が床面Ｆ１と擦れて回動の妨げになったり、引戸支持キャスター３０が破損することを防止することができる。
【００６２】
また、本実施形態によれば、引戸２０は、戸尻側端部の上端に備えた上部スライダ４１と戸先側端部の下端に備えた引戸支持キャスター３０のみで支持されているから、引戸２０を戸先側に傾けた前下がり姿勢や、戸尻側に傾けた前上がり姿勢にすることが可能である。従って、引戸２０のスライド方向で床面Ｆ１に多少の起伏があったとしても、その起伏を引戸２０の傾きで吸収することができ、安定してスライドさせることが可能となる。
【００６３】
［第２実施形態］
本発明の第２実施形態は図１１〜図１８に示されており、引戸を２枚備えている点、メインヒンジ１９，１９を備えていない点が主として異なる。以下、第１実施形態との共通部分の説明は同一符号を付して省略し、第１実施形態との相違点のみを説明する。
【００６４】
図１１に示すように、本実施形態の引戸ユニット２００は、第１引戸２０と第２引戸７０とを備えている。第１引戸２０は、床面Ｆ１上に自立設置可能な引戸収納ボックス１０のメイン引出口１２を通して引戸収納ボックス１０内（ボックス内空間１１）に収納可能となっている。第１引戸２０は、戸先側端部以外の全体を引戸収納ボックス１０内に収納した収納完了位置と（図１６参照）、戸尻側端部以外の全体を引戸収納ボックス１０から外側に引き出した引出完了位置（図１８参照）との間でスライド移動可能となっている。
【００６５】
第１引戸２０は、引戸収納ボックス１０を一回り小さくしたような扁平箱形構造をなしている。具体的には、例えば、長板をコの字形に連結してなる枠体を、矩形状をなした１対のパネル材で挟んで接合した構造となっているが、第１引戸２０の材質や組み立て構造は、特に限定するものではない。
【００６６】
第１引戸２０の内部には、扁平矩形状の引戸内空間２１１（図１３参照）が形成されており、第１引戸２０の幅狭の一側面２１０Ａには、メイン引出口１２と同じ方向を向いた縦長の第１引出口２１２が形成されている（図１１参照）。この第１引出口２１２を通して第２引戸７０を第１引戸２０内に収納及び引き出すことが可能となっている。
【００６７】
第２引戸７０は、扁平矩形状をなしており、例えば、１枚のパネル材或いは、複数枚のパネル材を重ねて構成されている。第２引戸７０は、その戸先側端部以外の全体を第１引戸２０内に収納した収納完了位置（図１６参照）と、戸尻側端部以外の全体を第１引戸２０から外側に引き出した引出完了位置（図１８参照）との間でスライド移動可能となっている。なお、収納完了位置にしたときの第２引戸７０の引き残し部分（戸先側端部）の両面には、第２引戸７０を操作する際に手を掛けるための引き手７１，７１が設けられている（図１１及び図１３には、一方の引き手７１のみが図示されている）。なお、本実施形態の引き手７１は堀込み形であるが、所謂、「バーハンドル」でもよい。
【００６８】
引戸収納ボックス１０と第１引戸２０との間には、上記第１実施形態の引戸ユニット１００に備えられたものと同様な上部スライド機構４０（図１３参照）、下部スライド機構６０（図１４参照）及び１対の支持ローラ５０，５０（図１２参照）が備えられている。詳細には、下部スライド機構６０が、第１引戸２０の厚さ方向の一方に片寄って配置され、引戸側ガイドレール２２が第１引戸２０の下面と一側面とに開放している点を除けば、上記第１実施形態の引戸ユニット１００に備えられたものと同一の構成である。なお、引戸側ガイドレール２２の側面の開放部分を図示しないカバー体で覆ってもよい。
【００６９】
第１引戸２０の戸先側端部の下部には、上記第１実施形態の引戸ユニット１００に備えられたものと同一の引戸支持キャスター３０，３０（本発明の「第１引戸支持キャスター」に相当する）が、第１引戸２０の厚さ方向で対をなして設けられている。
【００７０】
第１引戸２０と第２引戸７０との間には、上記第１実施形態の引戸ユニット１００に備えられたものと同一の上部スライド機構２４０（図１３参照）、下部スライド機構２６０（図１４参照）及び１対の支持ローラ２５０，２５０（図１２参照）が備えられている。
【００７１】
第２引戸７０の戸先側端部の下部には、転動体として車輪２３０Ｒを備えた第２引戸支持キャスター２３０が取り付けられている。第２引戸支持キャスター２３０は、第２引戸７０の下端面から突出しており、引戸収納ボックス１０が設置された建物の床面Ｆ１を転動可能となっている。第２引戸支持キャスター２３０は、第１引戸２０に備えた引戸支持キャスター３０と同一構造であり、車輪２３０Ｒが第２引戸７０の厚さ方向と平行な（第２引戸７０のスライド方向と直交した）回転軸で回転可能となっている。即ち、第２引戸支持キャスター２３０の転動方向は、次述する上部スライド機構２４０が案内する第２引戸７０のスライド方向と一致するように構成されている。
【００７２】
上部スライド機構２４０は、第２引戸７０の戸尻側端部をスライド可能に吊り上げている。図１３に示すように、上部スライド機構２４０は、上部スライダ２４１と、その上部スライダ２４１がスライド可能に係合した上部ガイドレール２４５とから構成されている。上部スライダ２４１は、第２引戸７０のうち、第２引戸支持キャスター２３０に対して対角の位置である戸尻側端部の上端部に設けられている。これに対し、上部ガイドレール２４５は、第１引戸２０内の引戸内空間２１１内の上端面２１１Ａ（図１２及び図１３参照）に固定され、第１引戸２０の前後方向に延びている。
【００７３】
第１引戸２０内には、第２引戸７０を厚さ方向で挟んだ１対の支持ローラ２５０，２５０が備えられている（図１２参照）。１対の支持ローラ２５０，２５０は、第２引戸７０が引出完了位置まで引き出されたときでも、第１引戸２０内に残された第２引戸７０の戸尻側端部を挟むことが可能な位置、詳細には、第１引出口２１２の両側部分でかつ、上下方向の中間部より上側に配置されている。そして、第２引戸７０が第１引戸２０内に出し入れされるときに、第２引戸７０のスライドに連動してこれら１対の支持ローラ２５０，２５０が回転する。なお、図示しないが、第２引戸７０を支持する支持ローラ２５０は、支持ローラ５０と同様に、引戸内空間２１１で鉛直方向に延びた片持ちの支持シャフトに回動可能に軸支されている。
【００７４】
第１引戸２０と第２引戸７０との間に設けられた下部スライド機構２６０は、図１４に示すように、第１引戸２０の引戸内空間２１１の下端面に設けられた下部ガイドレール２６１と、第２引戸７０の下端面に設けられた引戸側ガイドレール７２と、それら下部ガイドレール２６１と引戸側ガイドレール７２との双方にスライド可能に係合した中間ガイドレール２６２とから構成されている。この下部スライド機構２６０と、前記した１対の支持ローラ２５０，２５０とにより、第２引戸７０の横振れが抑えられて安定性が向上し、第２引戸７０を第１引戸１０に対してスムーズに出し入れすることが可能になる。
【００７５】
さて、本実施形態の引戸ユニット２００には、第１引戸２０のスライド移動と第２引戸７０のスライド移動とを連動させる引戸連動機構が備えられている。引戸連動機構は、後述するようにワイヤー８３と複数の滑車８１，８２とを有し、引戸収納ボックス１０に対する第１引戸２０のスライドに連動して、第２引戸７０が第１引戸２０に対して第１引戸２０と同一方向に同一距離だけ移動して、第１引戸２０と第２引戸７０とが収納完了位置及び引出完了位置に同時に到達するようにしたものである。
【００７６】
具体的には、図１５及び図１６に示すように、第１引戸２０のうち戸尻側端部には第１滑車８１が設けられ、戸先側端部の内部には第２滑車８２が設けられている。第１滑車８１は、鉛直方向を向いた回転軸８１Ｊを中心に回転可能となっており、第２滑車８２はスライド方向と直交した水平方向を向いた回転軸８２Ｊを中心に回転可能となっている。なお、図１６〜図１８では、説明の便宜のため、第１滑車８１の回転軸８１Ｊを水平にして示してある。
【００７７】
ワイヤー８３の一端部は引戸収納ボックス１０の後端壁１３内面に固定されており、第１引戸２０の戸尻側端部に備えた戸尻側貫通孔２５を通して第１引戸２０の戸先側に向かって延び、第２滑車８２で第１引戸２０の戸尻側に折り返してから第１滑車８１で第１引戸２０の戸先側にさらに折り返して、第１引戸２０の戸尻側貫通孔２５を通して引戸収納ボックス１０の前端壁１８内面にワイヤー８３の他端部が固定されている。なお、ワイヤー８３の一端部はスプリング（図示せず）を内蔵した取付金具８４を介して引戸収納ボックス１０に固定されており、スプリングによってワイヤー８３が常に張った状態になるように構成されている。そして、ワイヤー８３のうち第１滑車８１と第２滑車８２との間で延びた部分に、第２引戸７０の戸尻側端部がワイヤー挟持具８５を介して固定されている。
【００７８】
引戸ユニット２００の構成は以上であって、次に引戸ユニット２００の動作を説明する。図１６に示すように、第１引戸２０及び第２引戸７０が収納完了位置に位置する場合に、第１引戸２０を引き出すと、第１滑車８１及び第２滑車８２とが引戸収納ボックス１０に対して前方に移動するので、第１滑車８１と第２滑車８２との間でワイヤー８３は、第１引戸２０の収納完了位置からの移動距離と同じ距離だけ第１引戸２０の戸先側に向かって移動する。従って、図１６から図１７への変化に示すように、ワイヤー８３のうち第１滑車８１と第２滑車８２との間部分に連結された第２引戸７０も、第１引戸２０の移動距離と同じ距離だけ収納完了位置から移動する。そして、図１８に示すように、第１引戸２０が引出完了位置に到達するのと同時に、第２引戸７０が引出完了位置に到達する。
【００７９】
図１６に示すように、第１引戸２０及び第２引戸７０が収納完了位置に位置する場合に、第２引戸７０を引き出すと、ワイヤー挟持具８５が第１引戸２０の戸先側に移動するので、第１滑車８１と第２滑車８２との間でワイヤー８３は、第２引戸７０の収納完了位置からの移動距離と同じ距離だけ第１引戸２０の戸先側に移動する。すると、図１６から図１７への変化に示すように、第１引戸２０の戸尻側の第１滑車８１が引っ張られて第１引戸２０が収納完了位置から引き出され、第１引戸２０に対する第２引戸７０の移動距離と同じ距離だけ第１引戸２０が引戸収納ボックス１０に対して移動する。そして、図１８に示すように、第２引戸７０が引出完了位置に到達するのと同時に、第１引戸２０が引出完了位置に到達する。
【００８０】
ここで、第１引戸２０を操作した場合と、第２引戸７０を操作した場合とを比べると、第１引戸２０を操作した場合には、第２引戸７０を操作した場合の半分の操作量で、第１引戸２０及び第２引戸７０を引出完了位置まで移動させることができる。
【００８１】
図１８に示すように、第１引戸２０及び第２引戸７０が引出完了位置に位置する場合に、第１引戸２０を引戸収納ボックス１０側に移動させると、第１滑車８１及び第２滑車８２が引戸収納ボックス１０側に移動するので、それら第１滑車８１と第２滑車８２との間でワイヤー８３は、第１引戸２０の引出完了位置からの移動距離と同じ距離だけ、第１引戸２０の戸尻側に向かって移動する。従って、図１８から図１７への変化に示すように、ワイヤー８３のうち第１滑車８１と第２滑車８２との間部分に連結された第２引戸７０も、第１引戸２０の移動距離と同じ距離だけ引出完了位置から移動する。そして、図１６に示すように、第１引戸２０が収納完了位置に到達するのと同時に、第２引戸７０が収納完了位置に到達する。
【００８２】
図１８に示すように、第１引戸２０及び第２引戸７０が引出収完了位置に位置する場合に、第２引戸７０を引戸収納ボックス１０側に移動させると、ワイヤー挟持具８５が第１引戸２０の戸尻側に移動するので、第１滑車８１と第２滑車８２との間でワイヤー８３は、第２引戸７０の引出完了位置からの移動距離と同じ距離だけ第１引戸２０の戸尻側に移動する。すると、図１８から図１７への変化に示すように、第１引戸２０の戸先側の第２滑車８２が引っ張られて第１引戸２０が引戸収納ボックス１０側に引き込まれ、第２引戸７０の移動距離と同じ距離だけ第１引戸２０が引出完了位置から移動する。そして、図１６に示すように、第２引戸７０が引出完了位置に到達するのと同時に、第１引戸２０が引出完了位置に到達する。
【００８３】
ここで、第１引戸２０を操作した場合と、第２引戸７０を操作した場合とを比べると、第１引戸２０を操作した場合には、第２引戸７０を操作した場合の半分の操作量で、第１引戸２０及び第２引戸７０を収納完了位置まで移動させることができる。
【００８４】
このように本実施形態によれば、上記第１実施形態と同様に、従来よりも容易に第１引戸２０及び第２引戸７０を設けることが可能になると共に、以下のような効果を奏する。即ち、第１引戸２０から、その第１引戸２０と同じスライド方向に第２引戸７０を引き出すことが可能なので、より幅広な開口部Ｗ１を開閉することが可能になる。また、第２引戸支持キャスター２３０（車輪２３０Ｒ）の転動方向は、上部スライド機構２４０が案内する第２引戸７０のスライド方向と一致するので、そのスライド方向への第２引戸７０の直進性が向上し、第２引戸７０をより安定してスライド移動させることが可能になる。さらに、引戸収納ボックス１０に対する第１引戸２０のスライド移動に連動して、第２引戸７０が第１引戸２０に対して第１引戸２０と同一方向に同一距離だけスライド移動して、収納完了位置及び引出完了位置に同時に到達するから、第１引戸２０を操作した場合には、第２引戸７０を操作した場合の半分の操作量で、第１引戸２０及び第２引戸７０を収納完了位置と引出完了位置との間で移動させることができる。即ち、第１引戸２０をスライド操作することで開口部Ｗ１の開閉を速やかに行うことが可能になる。
【００８５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８６】
（１）上記第１実施形態では、引戸ユニット１００を、建物に備えた固定対象物に回動可能に連結していたが、上記第１実施形態の引戸ユニット１００の引戸収納ボックス１０に、上記第２実施形態の引戸ユニット２００の引戸収納ボックス１０をメインヒンジ１９，１９によって回動可能に連結してもよい（本発明の「引戸ユニットセット」に相当する）。
【００８７】
（２）上記第１及び第２実施形態では、引戸支持キャスター３０が転動体として車輪３０Ｒを備えていたが、転動体としてボールを備えていてもよい。
【００８８】
（３）上記第１及び第２実施形態では、上部スライダ４１，２４１としての吊り車が片側二輪の複車であったが、片側一輪の単車でもよい。また、上部スライダ４１，２４１のスライド方向と直交した両側面に走行輪４３，４３を有していたが、一側面だけに走行輪４３を有した構成としてもよい。
【００８９】
（４）上記第１実施形態における引戸２０及び、上記第２実施形態における第２引戸７０は、引戸支持キャスター３０及び第２引戸支持キャスター２３０がそれぞれ１つだけであったが、スライド方向と直交した水平方向で対をなすようにそれぞれ２つずつ設けてもよい。
【００９０】
（５）上記第２実施形態において、引戸収納ボックス１０にメインヒンジ１９，１９を設けると共に、引戸収納ボックス１０と第１引戸２０とに回動アシスト機構（可動ベース１５、ボックス支持キャスター１６、可動ベース押下体２４等）を設けて、第１実施形態の引戸ユニット１００と同様な作用で、引戸収納ボックス１０（引戸ユニット２００）の回動操作が可能な構成としてもよい。
【００９１】
（６）上記第２実施形態では、２枚の引戸２０，７０を備えていたが、３枚以上の引戸を入れ子式に備えた構成でもよい。
【００９２】
（７）上記第１及び第２実施形態において、引戸収納ボックス１０からの引戸２０，７０の飛び出しを防止するために、収納完了位置で引戸２０，７０の移動を禁止するロック部材（例えば、引戸収納ボックス１０及び引戸２０，７０を貫通可能な閂）を設けてもよい。
【符号の説明】
【００９３】
１０    引戸収納ボックス
１２    メイン引出口
１５    可動ベース
１５Ｔ    干渉突部
１６    ボックス支持キャスター
１９    メインヒンジ
２０    引戸、第１引戸
２２    引戸側ガイドレール
２４    可動ベース押下体
２５    戸尻側貫通孔
３０    引戸支持キャスター（第１引戸支持キャスター）
４０    上部スライド機構
４１    上部スライダ
４５    上部ガイドレール
５０    支持ローラ
６０    下部スライド機構
６１    下部ガイドレール
６２    中間ガイドレール
７０    第２引戸
７２    引戸側ガイドレール
８１    第１滑車
８２    第２滑車
８３    ワイヤー
１００    引戸ユニット
２００    引戸ユニット
２１２    第１引出口
２３０    第２引戸支持キャスター
２４０    上部スライド機構
２４１    上部スライダ
２４５    上部ガイドレール
２５０    支持ローラ
２６０    下部スライド機構
２６１    下部ガイドレール
２６２    中間ガイドレール
Ｆ１    床面
Ｗ１    開口部